(57)【要約】【課題】各記録装置が有機的に結びつき、それぞれの録画装置の機能を補いながら、ユーザーにとって使い勝手のよい放送信号の記録用のシステムを提供する。【解決手段】ネットワークに接続された複数の記録装置１（１）、１（２）、１（３）、１（４）の内、ユーザーからの少なくとも放送時間帯と放送チャンネルの情報を含む記録予約情報を直接に受け付ける予約元の記録装置において、受信選局することができない放送信号による放送番組の録画予約がされたことを判別手段により判別した場合に、予約元の記録装置で受信選局不能な放送信号の受信選局が可能な記録装置を予約先の記録装置とし、この予約先の記録装置に対して送出手段を通じて記録予約情報を転送して、放送番組の録画予約に応じた記録を代行させる。【選択図】図４
2006054642.tif 000002
【特許請求の範囲】
【請求項１】
放送信号の受信選局機能と、目的とする時刻に目的とする放送チャンネルにより放送される放送番組を構成する番組情報を自己の記録媒体に記録する記録予約機能とを備える複数の記録装置が、ネットワークに接続されて構成される記録システムであって、
予約元の記録装置は、
ユーザーからの記録予約情報を受け付ける受付手段と、
前記受付手段を通じて受け付けられた前記記録予約情報を記憶するメモリーと、
前記受付手段を通じて受け付けた前記記録予約情報が受信選局可能な放送チャンネルについてのものか否かを判別する判別手段と、
前記判別手段により、前記記録予約情報が受信選局可能な放送チャンネルについてのものではないと判別された場合に、当該記録予約情報を含む記録予約要求を形成して、前記ネットワークに送出する送出手段と
を備え、
予約先の記録装置は、
記録予約情報を保持するメモリーと、
前記ネットワークを通じて送信されてくる自機宛ての情報を受信する受信手段と、
前記受信手段を通じて受信した自機宛ての情報が、他機からの記録予約要求である場合に、当該記録予約要求が受信選局可能な放送チャンネルについてのものか否かを判断する判断手段と、
前記判断手段により、前記記録予約要求が受信選局可能な放送チャンネルについてのものであると判断した場合に、自機宛ての前記記録予約要求に応じた記録予約情報を前記メモリーに記憶する予約要求受付手段と、
前記予約要求受付手段を通じて前記メモリーに記録された前記記録予約情報に応じて、放送により提供される放送番組を構成する番組情報の前記記録媒体への記録を行うようにする予約記録制御手段と
を備えることを特徴とする記録システム。
【請求項２】
請求項１に記載の記録システムであって、
前記予約元の記録装置は、
前記ネットワークを通じて送信されてくる自機宛ての放送番組を構成する番組情報を受信する受信手段と、
前記受信手段を通じて受信した自機宛ての前記放送番組を構成する番組情報を自機の前記記録媒体に記録する記録処理手段と
を備え、
前記予約先の記録装置は、
前記予約記録制御手段の制御に応じて、受信選局する放送信号による放送番組を構成する番組情報の自機の記録媒体への記録が終了した場合に、前記記録媒体に記録した前記放送番組を構成する番組情報を、前記記録予約情報の提供元の記録装置に対して送信する番組情報送信手段を備えることを特徴とする記録システム。
【請求項３】
請求項１に記載の記録システムであって、
前記予約元の記録装置は、
前記ネットワークを通じて、自機の記録予約要求に応じて記録を行った機器に対して、記録した放送番組を構成する番組情報の提供要求を送信する提供要求送信手段と、
前記ネットワークを通じて送信されてくる自機宛ての放送番組を構成する番組情報を受信する受信手段と
を備え、
前記予約先の記録装置は、
前記受信手段を通じて自機宛の放送番組を構成する番組情報の提供要求を受信した場合において、前記記録媒体に記録した前記放送番組を構成する番組情報を、前記記録予約情報の提供元の記録装置に対して送信する番組情報送信手段を備えることを特徴とする記録システム。
【請求項４】
放送信号の受信選局機能と、目的とする時刻に目的とする放送チャンネルにより放送される放送番組を構成する番組情報を自己の記録媒体に記録する記録予約機能とを備える複数の記録装置が、ネットワークに接続されて構成される記録システムで用いられる記録方法であって、
予約元の記録装置においては、
ユーザーからの記録予約情報を受け付け、
受け付けた前記記録予約情報を所定のメモリーに記録し、
受け付けた前記記録予約情報が受信選局可能な放送チャンネルについてのものか否かを判別し、
前記記録予約情報が受信選局可能な放送チャンネルについてのものではないと判別した場合に、当該録画予約情報を含む記録予約要求を形成して、前記ネットワークに送出し、
予約先の記録装置においては、
前記ネットワークを通じて送信されてくる自機宛ての情報を受信し、
受信した自機宛ての情報が、他機からの記録予約要求である場合に、当該記録予約要求が受信選局可能な放送チャンネルについてのものか否かを判断し、
前記記録予約要求が選局可能な放送チャンネルについてのものであると判断した場合に、自機宛ての前記記録予約要求に応じた記録予約情報を前記メモリーに記憶し、
前記メモリーに記録された前記記録予約情報に応じて、放送により提供される放送番組を構成する番組情報の前記記録媒体への記録を行うようにすることを特徴とする記録方法。
【請求項５】
請求項４に記載の記録方法であって、
前記予約元の記録装置においては、
前記ネットワークを通じて送信されてくる自機宛ての放送番組を構成する番組情報を受信し、
受信した自機宛ての前記放送番組を構成する番組情報を自機の前記記録媒体に記録し、
前記予約先の記録装置においては、
受信選局する放送信号による放送番組を構成する番組情報の自機の記録媒体への記録が終了した場合に、前記記録媒体に記録した前記放送番組を構成する番組情報を、前記記録予約情報の提供元の記録装置に対して送信することを特徴とする記録方法。
【請求項６】
請求項４に記載の記録方法であって、
前記予約元の記録装置においては、
前記ネットワークを通じて、自機の記録予約要求に応じて記録を行った機器に対して、記録した放送番組を構成する番組情報の提供要求を送信し、
前記ネットワークを通じて送信されてくる自機宛ての放送番組を構成する番組情報を受信して利用できるようにし、
前記予約先の記録装置は、
前記受信手段を通じて自機宛の放送番組を構成する番組情報の提供要求を受信した場合において、前記記録媒体に記録した前記放送番組を構成する番組情報を、前記記録予約情報の提供元の記録装置に対して送信することを特徴とする記録方法。
【請求項７】
放送信号の受信選局機能と、目的とする時刻に目的とする放送チャンネルにより放送される放送番組を構成する番組情報を自己の記録媒体に記録する記録予約機能とを備え、ネットワークに接続可能とされた記録装置であって、
ユーザーからの記録予約情報を受け付ける受付手段と、
前記受付手段を通じて受け付けられた前記記録予約情報を記憶するメモリーと、
前記受付手段を通じて受け付けた前記記録予約情報が受信選局可能な放送チャンネルについてのものか否かを判別する判別手段と、
前記判別手段により、前記記録予約情報が受信選局可能な放送チャンネルについてのものではないと判別された場合に、当該記録予約情報を含む記録予約要求を形成して、前記ネットワークに送出する送出手段と
を備えることを特徴とする記録装置。
【請求項８】
請求項７に記載の記録装置であって、
前記ネットワークを通じて送信されてくる自機宛ての放送番組を構成する番組情報を受信する受信手段と、
前記受信手段を通じて受信した自機宛ての前記放送番組を構成する番組情報を自機の前記記録媒体に記録する記録処理手段と
を備えることを特徴とする記録装置。
【請求項９】
請求項７または請求項８に記載の記録装置であって、
前記ネットワークを通じて、自機の記録予約要求に応じて記録を行った機器に対して、記録した放送番組を構成する番組情報の提供要求を送信する提供要求送信手段を備えることを特徴とする記録装置。
【請求項１０】
放送信号の受信選局機能と、目的とする時刻に目的とする放送チャンネルにより放送される放送番組を構成する番組情報を自己の記録媒体に記録する記録予約機能とを備え、ネットワークに接続可能とされた記録装置であって、
記録予約情報を保持するメモリーと、
前記ネットワークを通じて送信されてくる自機宛ての情報を受信する受信手段と、
前記受信手段を通じて受信した自機宛ての情報が、他機からの記録予約要求である場合に、当該記録予約要求が受信選局可能な放送チャンネルについてのものか否かを判断する判断手段と、
前記判断手段により、前記記録予約要求が選局可能な放送チャンネルについてのものであると判断した場合に、自機宛ての前記記録予約要求に応じた記録予約情報を前記メモリーに記憶する予約要求受付手段と、
前記予約要求受付手段を通じて前記メモリーに記録された前記記録予約情報に応じて、放送により提供される放送番組を構成する番組情報の前記記録媒体への記録を行うようにする予約記録制御手段と
を備えることを特徴とする記録装置。
【請求項１１】
請求項１０に記載の記録装置であって、
前記予約記録制御手段の制御に応じて、受信選局する放送信号による放送番組を構成する番組情報の自機の記録媒体への記録が終了した場合に、前記記録媒体に記録した前記放送番組を構成する番組情報を、前記記録予約情報の提供元の記録装置に対して送信する番組情報送信手段を備えることを特徴とする記録装置。
【請求項１２】
請求項１０に記載の記録装置であって、
前記受信手段を通じて自機宛の放送番組を構成する番組情報の提供要求を受信した場合において、前記記録媒体に記録した前記放送番組を構成する番組情報を、前記記録予約情報の提供元の記録装置に対して送信する番組情報送信手段を備えることを特徴とする記録装置。
【発明の詳細な説明】
【技術分野】
【０００１】
この発明は、例えば、ＤＶＤ（Digital Versatile Disc）レコーダやハードディスクレコーダなどの記録装置を用いて構成する記録システム、このシステムで用いられる方法および装置に関する。
【背景技術】
【０００２】
例えば、ＤＶＤレコーダとＨＤＤ（Hard Disc Drive）とが複合され、かつイーサネット（登録商標）端子などのネットワーク接続端子まで備えた録画装置が広く用いられるようになってきている。このような記録装置（録画装置）の多くは特にＥＰＧ（Electronic Program Guide）と呼ばれる電子番組情報をテレビ受像機（モニタ受像機）の表示画面に表示しながら、放送チャンネル別や番組ジャンル別などに分けられるＧＵＩ（Graphical User Interface）を通じて簡単に録画予約ができるように工夫されている。
【０００３】
例えば、後に記す特許文献１には、ＥＰＧを用いて所望する番組を迅速に選局できるようにするための技術が開示されており、後に記す特許文献２には、ＥＰＧを用いて録画予約し録画したコンテンツの検索を効率的に行えるようにする技術が開示されている。これらの技術により、ＥＰＧの有効活用の促進が図られている。
【特許文献１】特開２００２−３５４３６５号公報
【特許文献２】特開２０００−２８５６３９号公報
【発明の開示】
【発明が解決しようとする課題】
【０００４】
ところで、上述したＥＰＧには、個々のユーザーが使用するチューナの機能やチューナが設置された地域において受信選局可能な放送チャンネルなどとは関係なく、デジタルＢＳ（Broadcast Satellite）放送やデジタルＣＳ（Communications Satellite）放送、その他の有料放送などについての情報も掲載するようにされている。
【０００５】
このため、何の対策も取らなければ、例えば、ＢＳ放送やＣＳ放送の受信選局機能を持たない録画装置においても、ＢＳ放送やＣＳ放送の録画予約が可能になってしまう。つまり、受信選局できない放送信号による放送番組であるために、実際には録画することができない番組であるにもかかわらず、録画予約はできてしまうというおかしなことが起こる可能性がある。しかし、ＥＰＧに掲載される全ての放送番組について受信可能な録画装置を実現することは、ハードウエア的にも、コスト的にも負担が大きく現実的ではない。
【０００６】
そこで、一般には、自機において受信選局不能なテレビ放送チャンネルの放送番組の録画予約が行われた場合には、録画予約できない旨の警告メッセージなどを出力し、録画予約の入力操作をやり直すようにすることが考えられる。このようにすれば、ユーザーも録画予約できないことを明確に知ることができ、混乱を生じさせることもない。
【０００７】
しかしながら、表示されるＥＰＧに掲載されている放送番組であるにもかかわらず、その放送番組を提供する放送信号を受信選局することができないために録画予約できないということは、その録画装置のパフォーマンスの悪さとしてユーザーに感じ取られてしまう可能性がある。
【０００８】
また、ＥＰＧを用いない場合であっても、上述したＥＰＧを使用する場合と同様に、その放送番組を提供する放送信号の受信選局ができないために録画予約することができない、あるいは、録画予約できても実際には目的とする放送番組を録画することができないといったことも発生する。
【０００９】
以上のことにかんがみ、この発明は、単体で用いられることの多い記録装置をネットワークに接続して複数台用いるようにすることにより、各記録装置を有機的に結び付け、それぞれの記録装置の機能を補いながら、ユーザーにとって使い勝手のよい放送信号の記録用のシステム、方法および装置を提供することを目的とする。
【課題を解決するための手段】
【００１０】
上記課題を解決するため、請求項１に記載の発明の記録システムは、
放送信号の受信選局機能と、目的とする時刻に目的とする放送チャンネルにより放送される放送番組を構成する番組情報を自己の記録媒体に記録する記録予約機能とを備える複数の記録装置が、ネットワークに接続されて構成される記録システムであって、
予約元の記録装置は、
ユーザーからの記録予約情報を受け付ける受付手段と、
前記受付手段を通じて受け付けられた前記記録予約情報を記憶するメモリーと、
前記受付手段を通じて受け付けた前記記録予約情報が受信選局可能な放送チャンネルについてのものか否かを判別する判別手段と、
前記判別手段により、前記記録予約情報が受信選局可能な放送チャンネルについてのものではないと判別された場合に、当該記録予約情報を含む記録予約要求を形成して、前記ネットワークに送出する送出手段と
を備え、
予約先の記録装置は、
記録予約情報を保持するメモリーと、
前記ネットワークを通じて送信されてくる自機宛ての情報を受信する受信手段と、
前記受信手段を通じて受信した自機宛ての情報が、他機からの記録予約要求である場合に、当該記録予約要求が受信選局可能な放送チャンネルについてのものか否かを判断する判断手段と、
前記判断手段により、前記記録予約要求が受信選局可能な放送チャンネルについてのものであると判断した場合に、自機宛ての前記記録予約要求に応じた記録予約情報を前記メモリーに記憶する予約要求受付手段と、
前記予約要求受付手段を通じて前記メモリーに記録された前記記録予約情報に応じて、放送により提供される放送番組を構成する番組情報の前記記録媒体への記録を行うようにする予約記録制御手段と
を備えることを特徴とする。
【００１１】
この請求項１に記載の記録システムによれば、ユーザーからの少なくとも放送時間帯と放送チャンネルの情報を含む記録予約情報を直接に受け付ける予約元の記録装置において、自機に機能が搭載されていないために、あるいは、遠隔地において放送されている放送信号であるために受信選局することができない放送信号による放送番組の録画予約がされたことが判別手段により判別された場合には、ネットワークに接続された他の記録装置であって、予約元の記録装置で受信選局不能な放送信号の受信選局が可能な記録装置を予約先の記録装置とし、この予約先の記録装置に対して送出手段を通じて記録予約情報を転送して、放送番組の記録予約に応じた記録を代行させるようにする。
【００１２】
これにより、自機が機能を備えていないために受信選局できない放送信号により提供される放送番組についての録画予約や、遠隔地で放送されているために受信選局できない放送信号により提供される放送番組についての録画予約を、それらの受信選局が可能であって、ネットワークを通じて相互に通信が可能な記録装置に転送して、その記録装置に録画予約に応じた録画を代行させることができるようにされる。したがって、放送信号を記録するための記録システムであって、ユーザーにとって使い勝手のよいシステムを実現することが出来るようにされる。
【００１３】
また、請求項２に記載の記録システムは、請求項１に記載の記録システムであって、
前記予約元の記録装置は、
前記ネットワークを通じて送信されてくる自機宛ての放送番組を構成する番組情報を受信する受信手段と、
前記受信手段を通じて受信した自機宛ての前記放送番組を構成する番組情報を自機の前記記録媒体に記録する記録処理手段と
を備え、
前記予約先の記録装置は、
前記予約記録制御手段の制御に応じて、受信選局する放送信号による放送番組を構成する番組情報の自機の記録媒体への記録が終了した場合に、前記記録媒体に記録した前記放送番組を構成する番組情報を、前記記録予約情報の提供元の記録装置に対して送信する番組情報送信手段を備えることを特徴とする。
【００１４】
この請求項２に記載の記録システムによれば、予約先の記録装置において、予約元から転送されてきた記録予約情報に応じて放送番組を構成する映像データや音声データなどの番組情報を記録するようにした場合に、その記録の終了直後に、予約先から予約元に番組情報を転送して、予約元の記録装置の記録媒体に記録するなどして、予約元の記録装置において独自に利用することができるようにされる。
【００１５】
したがって、予約元の記録装置のユーザーは、他の記録装置については全く意識することなく、自機において放送番組の記録の予約が重複してしまっても、目的とする放送番組をネットワークに接続された他の記録装置において行うようにし、当該他の記録装置で記録された番組情報を利用することができるようにされる。このようにして、ユーザーにとって使い勝手のよい放送信号の記録用のシステムを構築することができるようにされる。
【００１６】
また、請求項３に記載の発明の記録システムは、請求項１に記載の記録システムであって、
前記予約元の記録装置は、
前記ネットワークを通じて、自機の記録予約要求に応じて記録を行った機器に対して、記録した放送番組を構成する番組情報の提供要求を送信する提供要求送信手段と、
前記ネットワークを通じて送信されてくる自機宛ての放送番組を構成する番組情報を受信する受信手段と
を備え、
前記予約先の記録装置は、
前記受信手段を通じて自機宛の放送番組を構成する番組情報の提供要求を受信した場合において、前記記録媒体に記録した前記放送番組を構成する番組情報を、前記記録予約情報の提供元の記録装置に対して送信する番組情報送信手段を備えることを特徴とする。
【００１７】
この請求項３に記載の発明の記録システムによれば、予約先の記録装置において、予約元から転送されてきた記録予約情報に応じて放送番組を構成する映像データや音声データなどの番組情報を記録するようにする。そして、予約先の記録装置は、予約元の記録装置からの提供要求に応じて、記録した番組情報を予約元に提供することが出来るようにされる。
【００１８】
したがって、予約元の記録装置のユーザーは、必要な場合に予約先の記録装置から予約元の記録装置に代わって記録した番組情報の提供を受けて、利用することができるようにされる。これにより、ネットワークに接続された各記録装置の記録媒体の有効利用を図ることができるようにされる。したがって、ユーザーにとって使い勝手のよい放送信号の記録用のシステムを構築することができるようにされる。
【発明の効果】
【００１９】
個別の記録装置をネットワークで結ぶことにより、例えば、ＢＳチューナ付きの記録装置でなくとも仮想的にＢＳチューナをもつ記録装置として利用できるようにすることができる。したがって、単なるネットワーク接続端子を持つＢＳチューナ無しのローエンド記録装置をあたかもＢＳチューナ付き録画装置として用いるようにすることができるなど、ネットワークに接続された複数の記録装置を有機的に結び付け、各記録装置が他の記録装置によって自機の機能を補いながら、コスト的にもエネルギー的にも無駄のない記録システム、記録方法、および、記録装置を実現することができる。
【発明を実施するための最良の形態】
【００２０】
以下、図を参照しながらこの発明によるシステム、方法、装置の一実施の形態について説明する。以下に説明する実施の形態においては、この発明によるシステム、方法、装置を、家庭内に形成されるいわゆるホームネットワークシステムに適用した場合を例にして説明する。
【００２１】
［ホームネットワークシステムについて］
図１は、この発明によるシステム、装置、方法が適用されて、家庭内に形成されたいわゆるホームネットワークシステムを説明するための図である。図１に示すように、この実施の形態のホームネットワークシステムは、家庭内の異なる３つの部屋、この例では、書斎、子供部屋、リビングのそれぞれに、テレビ放送受信機能を備えた記録装置（録画機）であるハードディスクレコーダ１（１）、１（２）、１（３）が設置されている。
【００２２】
この場合、リビングに設置されたハードディスクレコーダ１（３）は、家族で共用されるものであり、アナログ地上波テレビ放送信号のほか、ＢＳデジタル放送信号やＣＳデジタル放送信号も受信選局して利用することができるものである。書斎、子供部屋に設置されたハードディスクレコーダ１（１）、１（２）は、放送番組についての興味や趣味が異なっていたり、使い方が異なっていたりするために、特定の個人用に設けられたものである。このように、１つの家庭内にも、家族の各自ごとに専用のハードディスクレコーダなどが設けられることが多くなってきている。
【００２３】
そして、これらハードディスクレコーダ１（１）、１（２）、１（３）のそれがハブ（図１においてはＨＵＢと記載。）２に接続され、このハブを通じて相互に通信を行うことができるようにされている。このように、この実施の形態のホームネットワークシステムは、イーサネット（登録商標）方式のＬＡＮ（Local Area Network）システムを構成している。
【００２４】
また、ハブ２には、サーバ装置３が接続されている。このサーバ装置３は、ハードディスクなどの大容量の記憶媒体を備え、テレビ放送番組や音楽などのコンテンツを記憶保持し、各部屋の例えばハードディスクレコーダやパーソナルコンピュータなどのクライアント装置からの要求に応じて、提供が要求されたコンテンツを提供することができるものである。また、サーバ装置３は、ＬＡＮに接続された各機器からの情報を収集し、この収集した情報に基づいて異常の発生の有無を検出するなどのいわゆるセキュリティ機能をも備えたものである。
【００２５】
また、ＬＡＮに接続された各機器は、ハブ２やルータ４および電話網やインターネット網などの広域ネットワーク５を通じて、当該広域ネットワーク５に接続された例えばハードディスクレコーダやパーソナルコンピュータなどの外部の機器とも情報のやり取りを行うことができるようにしている。したがって、東京の自宅に設置されたハードディスクレコーダ１（１）、１（２）、１（３）のそれぞれは、例えば、北海道、沖縄などの種々の地方の親類や知人、友人の家に設置されたハードディスクレコーダ１（４）との間においても、通信路を接続し情報の送受信を行うことができるようにしている。
【００２６】
そして、この実施の形態のホームネットワークシステムのハードディスクレコーダ１（１）、１（２）、１（３）のそれぞれは、ＬＡＮを介して自分自身のファームウエアの更新等を行うことができるようにしている。また、詳しくは後述もするように、録画予約情報（記録予約情報）を受け付けた場合に、その録画予約情報により指示された放送信号が、自機の機能が足りないなどするために、あるいは、地方で放送されており物理的に受信選局できない場合において、その目的とする番組の放送信号を受信選局可能な記録装置に録画予約に応じた録画の代行を行わせることができるようにしている。
【００２７】
［ハードディスクレコーダの構成例について］
次に、この実施の形態のホームネットワークシステムで用いられるハードディスクレコーダの構成と動作について説明する。上述もしたように、この実施の形態のホームネットワークシステムにおいて、ハードディスクレコーダ１（１）、１（２）、１（４）は、アナログ地上波テレビ放送のチューナのみを備え、ＢＳ／ＣＳチューナは備えないものであり、ハードディスクレコーダ１（３）は、アナログ地上波テレビ放送のチューナに加えて、ＢＳ／ＣＳチューナをも備えるものである。
【００２８】
［ＢＳ／ＣＳチューナ無しハードディスクレコーダについて］
まず、ＢＳ／ＣＳチューナを備えないハードディスクレコーダ１（１）、１（２）、１（４）の構成と動作について説明する。図２は、ハードディスクレコーダ１（１）、１（２）、１（４）を説明するためのブロック図である。
【００２９】
図２において、ＣＰＵ（Central Processing Unit）１４０は、ホストバスを介し、ＲＯＭ（Read Only Memory）１４１、ＲＡＭ（Random Access Memory）１４２、ＥＥＰＲＯＭ（Electrically Erasable and Programmable ROM）１４３を必要に応じアクセスし、ハードディスクレコーダの全体の制御を行う。
【００３０】
また、図２に示すように、ホストバスには、赤外線のリモコン信号の受光部１４４が接続されている。受光部１４４は、リモートコマンダ（以下、単にリモコンという。）１４５からの赤外線のリモコン信号を受光し、これを電気信号に変換して、ＣＰＵ１４０に供給することができるようにされている。
【００３１】
これにより、ＣＰＵ１４０は、リモコン１４５を通じて供給されるユーザーからの指示に応じた処理を行うように各部を制御したり、種々の設定を例えばＥＥＰＲＯＭ１４３に対して行ったりすることができるようにされている。また、ホストバスには、タイマー１４６が接続されており、現在年月日、現在曜日、現在時刻を提供するものである。
【００３２】
なお、ＲＯＭ１４１は、この実施の形態のハードディスクレコーダにおいて実行する各種のプログラムや処理に必要となる各種のデータが記録されたものであり、ＲＡＭ１４２は、処理の途中結果を一時記録するなど、主に作業領域として用いられるものである。また、ＥＥＰＲＯＭ１４３は、いわゆる不揮発性メモリーであり、電源が落とされても保持しておく必要のあるデータ、例えば、各種の設定データなどを記憶保持しておくためのものである。
【００３３】
そして、図２に示すこの実施の形態のハードディスクレコーダは、デジタル入力端部として、例えばＩＥＥＥ１３９４規格に基づくデジタル入力／出力端子１０１を備え、また、アナログ入力端部として、地上波チューナ１０３と、アナログオーディオ入力端子１０４およびアナログビデオ入力端子１０５、１０６とを備えている。
【００３４】
また、デジタル出力端部として、デジタル入力／出力端子１０１が用いられるようにされ、アナログ出力端部として、アナログオーディオ出力端子１２２およびアナログビデオ出力端子１２７、１２８を備えている。さらに、通信用接続端子１３１を備え、例えば、インターネットなどの通信ネットワークを通じて各種のデータの送受を行うことができるようにされている。
【００３５】
そして、この図２に示すハードディスクレコーダは、上述したデジタル入力端部を通じて受け付けたデジタルビデオ信号やデジタルオーディオ信号を、ハードディスク１１８に記録したり、デジタル出力端部を通じて出力したり、また、アナログ信号に変換して出力したりすることができるものである。
【００３６】
さらに、この図２に示すハードディスクレコーダは、上述したアナログ入力端部を通じて受け付けたアナログオーディオ信号やアナログビデオ信号を、アナログ出力端部を通じて出力したり、デジタル信号に変換して、ハードディスク１１８に記録したり、デジタル出力端部を通じて出力したりすることができるものである。
【００３７】
また、上述した通信用接続端子１３１、通信インターフェイス１３０を通じて受け付けたデータをハードディスク１１８に記録したり、デジタル出力したり、また、受け付けたデータが、ビデオデータやオーディオデータである場合には、これらをアナログ信号に変換して、アナログ出力端部を通じて出力することもできるようにされている。
【００３８】
［デジタル入力の利用について］
上述した各入力端部を通じて情報の供給を受ける場合のこの実施の形態のハードディスクレコーダ１（１）、１（２）、１（４）の基本的な動作について説明する。
【００３９】
まず、外部機器などからデジタルインターフェイスを介して供給されるデジタル信号をデジタル入力／出力端子１０１を通じて受け付け、これを記録媒体１１８に記録したり、アナログビデオ信号、アナログオーディオ信号を形成して、出力したりする場合の動作についいて説明する。
【００４０】
デジタル入力／出力端子１０１を通じて供給を受けたデジタル信号は、デジタルインターフェイス回路１０２に供給される。デジタルインターフェイス回路１０２は、これに供給されたデジタル信号について、この実施の形態の画像処理装置が用いている方式に適合するようにフォーマット変換等の処理を施し、ＴＳ（Transport Stream）信号を生成して、これを多重／分離回路1１６に供給する。
【００４１】
多重／分離回路１１６では、更に制御信号等の解析や生成を行い、ハードディスク１１８に記録する形式のＴＳ信号を形成し、これをバッファ制御回路１１７を通じてハードディスク１１８に記録することができるようにしている。また、多重／分離回路１１６は、デジタルインターフェイス回路１０２から供給されたＴＳ信号からビデオＥＳ、オーディオＥＳを形成し、ＭＰＥＧビデオデコーダ１２３、ＭＰＥＧオーディオデコーダ１１９に供給することにより、アナログビデオ信号、アナログオーディオ信号を形成し、これらを出力することもできるようにされている。
【００４２】
ＭＰＥＧオーディオデコーダ１１９は、これに供給されたオーディオＥＳを復号化処理し、ベースバンドのオーディオデータを得て、これをポスト音声信号処理回路１２０に供給する。ＭＰＥＧビデオデコーダ１２３は、これに供給されたビデオＥＳを復号化処理して、ベースバンドのビデオデータを得て、これをポスト映像信号処理回路１２４に供給する。
【００４３】
ポスト映像信号処理回路１２４は、ＭＰＥＧビデオデコーダ１２３からのビデオデータと、後述するプリ映像信号処理回路１１４からのビデオデータとの切り換えや、画面合成やフィルタ処理などを行い、処理後のビデオデータをＯＳＤ（On Screen Display）回路１２５に供給する。
【００４４】
ＯＳＤ回路１２５は、画面表示用のグラフィックッスや文字データの生成を行い、ＯＳＤ回路１２５に供給されたビデオデータに対して、生成したグラフィックスや文字データを重ねたり、部分的に表示させるようにしたりする等の処理を施し、処理後のビデオデータをＮＴＳＣエンコーダ１２６に供給する。
【００４５】
ＮＴＳＣエンコーダ１２６は、これに入力されたビデオデータ（コンポーネントデジタル信号）をＹＣ信号に変換した後、Ｄ／Ａ変換を行い、アナログのコンポジットビデオ信号Ｃとセパレートビデオ信号Ｓを生成して、そのそれぞれをアナログビデオ信号の出力端子１２７、１２８を通じて出力するようにする。
【００４６】
一方、ポスト音声信号処理回路１２０では、ＭＰＥＧオーディオデコーダ１１９からのオーディオデータと、プリ音声信号処理回路１０９からのオーディオデータとの切り換えや、フィルタ処理、フェード処理、話速変換処理等を行い、処理後のオーディオデータを音声Ｄ／Ａ変換器１２１に供給する。音声Ｄ／Ａ変換器１２１は、これに供給されたオーディオデータをアナログオーディオ信号に変換し、これをアナログオーディオ信号の出力端子１２２を通じて出力する。
【００４７】
なお、アナログオーディオ出力端子１２２、アナログビデオ出力端子１２７の後段には、例えば、テレビ受像機（モニタ受像機）が接続され、アナログオーディオ出力端子１２２を通じて出力されたアナログオーディオ信号に応じた音声がテレビ受像機のスピーカから放音するようにされ、アナログビデオ出力端子１２７を通じて出力されたアナログビデオ信号に応じた画像がテレビ受像機の表示画面に表示するようにされる。
【００４８】
このように、この実施の形態のハードディスクレコーダ１（１）、１（２）、１（４）においては、デジタル入力／出力端子１０１、デジタルインターフェイス回路１０２を通じて提供を受けたビデオデータとオーディオデータとを抽出し、これをハードディスク１１８に記録すると共に、同時にアナログビデオ信号とアナログオーディオ信号とを形成して、これを出力することができるようにされる。つまり、デジタルインターフェイス回路１０２を通じて提供を受けたビデオデータとオーディオデータとをハードディスク１１８に記録しながら、その番組を視聴することができるようにされている。
【００４９】
また、上述したように、多重／分離回路１１６において新たに形成するようにしたＴＳ信号をデジタルインターフェイス回路１０２、デジタル入力／出力端子１０１、あるいは、通信インターフェイス１３０、通信用接続端子１３１を通じて、他の部屋のハードディスクレコーダなどの外部機器に対して供給することもできるようにされている。この場合、デジタルインターフェイス回路１０２においては、これに供給されたデジタル信号を外部の機器に適合する形式のデジタル信号に変換し、これを出力する。
【００５０】
［アナログ入力の利用について］
次に、地上波チューナ１０３、アナログオーディオ入力端子１０４、アナログビデオ入力端子１０５、１０６を通じて、アナログ信号の入力を受け付け、これをハードディスク１１８に記録したり、アナログ出力したりする場合の動作について説明する。
【００５１】
地上波チューナ１０３は、受信アンテナＡＮＴ１を通じて受信した地上波のアナログ放送信号を受信、選局して復調し、アナログビデオ信号（コンポジット信号）とアナログオーディオ信号と得て、これらを入力切換回路１０７に供給する。同様に、アナログビデオ入力端子１０５を通じて供給される外部からのコンポジットビデオ信号Ｃとアナログオーディオ入力端子１０４を通じて供給されるオーディオ信号も入力切換回路１０７に供給される。
【００５２】
入力切換回路１０７は、ＣＰＵ１４０からの制御信号に従い、目的とする信号を選択して出力する。すなわち、入力切換回路１０７は、地上波チューナ１０３からのアナログビデオ信号とアナログオーディオ信号とを出力するか、アナログオーディオ入力端子１０４、アナログビデオ入力端子１０６からのアナログオーディオ信号とアナログビデオ信号とを出力するかを切り換えるものである。
【００５３】
入力切換回路１０７から出力される信号のうち、アナログオーディオ信号はＡ／Ｄ変換器１０８に供給され、また、アナログビデオ信号（コンポジット信号）はＹＣ分離回路１１１に供給される。ＹＣ分離回路１１１は、これに供給されたアナログビデオ信号をＹＣ分離、すなわち、輝度信号Ｙと色差信号Ｃとに分離し、これらを入力切換回路１１２に供給する。この入力切換回路１１２には、アナログビデオ入力端子１０６を通じて供給される外部からのセパレートビデオ信号Ｓも供給するようにされている。
【００５４】
入力切換回路１１２は、ＣＰＵ１４０からの指示に従い、外部からのセパレートビデオ信号ＳとＹＣ分離回路１１１からのビデオ信号とのうちの一方を選択し、選択したビデオ信号をＮＴＳＣ（National Television System Committee）デコーダ回路１１３に供給する。
【００５５】
ＮＴＳＣデコーダ回路１１３は、これに入力されたアナログビデオ信号に対して、Ａ／Ｄ変換、クロマデコード等の処理を施し、デジタルコンポーネントビデオデータ（ビデオデータ）に変換し、これをプリ映像信号処理回路１１４に供給する。また、ＮＴＳＣデコーダ１１３は、入力されたビデオ信号の水平同期信号を基準に生成したクロックと、同期分離して得た水平同期信号、垂直同期信号、フィールド判別信号を同期制御回路１２９に供給する。
【００５６】
同期制御回路１２９は、これに供給された各信号を基準とし、各回路ブロックにおいて必要なタイミングを提供するクロック信号、同期信号を生成し、これを各回路ブロックに供給する。
【００５７】
また、プリ映像信号処理回路１１４は、入力されたビデオデータにプリフィルタ等の各種映像信号処理を施し、これをＭＰＥＧビデオエンコーダ１１５とポスト映像信号処理回路１２４に供給する。
【００５８】
ＭＰＥＧビデオエンコーダ１１５は、プリ映像信号処理回路１１４からの画像データにブロックＤＣＴ（Discrete Cosine Transform：離散コサイン変換）等の符号化処理を施し、ビデオＥＳを生成し、多重／分離回路１１６に供給する。
【００５９】
一方、入力切換回路１０７で選択されたオーディオ信号はＡ／Ｄ変換器１０８にて、デジタルオーディオ信号（オーディオデータ）に変換されたのち、プリ音声信号処理回路１０９に供給される。プリ音声信号処理回路１０９は、これに供給されたオーディオデータに対してフィルタ処理を施し、これをＭＰＥＧオーディオエンコーダ１１０に供給する。
【００６０】
ＭＰＥＧオーディオエンコーダ１１０は、これに供給されたオーディオデータをＭＰＥＧフォーマットに従い圧縮した後、オーディオＥＳを生成し、ビデオデータの場合と同様に、多重／分離回路１１６に供給する。
【００６１】
多重／分離回路１１６は、記録時においては、ＭＰＥＧビデオエンコーダ１１５からのビデオＥＳとＭＰＥＧオーディオエンコーダ１１０からのオーディオＥＳと各種制御信号との多重化処理を行う。つまり、記録時における多重／分離回路１１６は、これに入力されたＭＰＥＧビデオＥＳと、ＭＰＥＧオーディオＥＳと、各種制御信号とを合わせ、多重化処理を施し、例えばＭＰＥＧシステムのＴＳ信号を生成する。ここで生成されたＴＳ信号が、バッファ制御回路１１７を通じて記録媒体１１８に記録される。
【００６２】
また、図２に示すように、プリ音声信号処理回路１０９からのオーディオデータは、ＭＰＥＧオーディオエンコーダ１１０に供給されると共に、ポスト音声信号処理回路１２０にも供給され、また、プリ映像信号処理回路１１４からのビデオデータは、ＭＰＥＧビデオエンコーダ１１５に供給されると共に、ポスト映像信号処理回路１２４にも供給するようにされている。
【００６３】
そして、ポスト音声信号処理回路１２０、Ｄ／Ａ変換器１２１の機能により、アナログオーディオ信号を形成し、これを出力すると共に、ポスト映像信号処理回路１２４、ＯＳＤ回路１２５、ＮＴＳＣエンコーダ１２６の機能により、アナログビデオ信号を形成し、これを出力することができるようにされている。
【００６４】
すなわち、地上波チューナ１０３、アナログオーディオ入力端子１０４、アナログビデオ入力端子１０５、１０６を通じて供給されたアナログ信号をデジタル信号に変換してこれを記録媒体１１８に記録する処理と平行して、この記録対象のビデオデータとオーディオデータとを再生して出力することができるようにされている。
【００６５】
もちろん、デジタル信号に変換された地上波チューナ１０３、アナログオーディオ入力端子１０４、アナログビデオ入力端子１０５、１０６からの信号を、デジタルインターフェイス回路１０２、デジタル入力／出力端子１０１、あるいは、通信インターフェイス１３０、通信用接続端子１３１を通じて、他の部屋のハードディスクレコーダやＴＶセットなどに供給したり、ルータ４を通じて外部の機器に供給したりすることもできるようにされる。
【００６６】
［ハードディスク１１８からの再生について］
次に、上述のようにしてハードディスク１１８に記録されたビデオ信号とオーディオ信号とを再生する場合のこの実施の形態のハードディスクレコーダの動作について説明する。ＣＰＵ１４０の制御により、記録媒体１１８から再生しようとする目的とするＴＳ信号が読み出され、これがバッファ制御回路１１７を通じて多重／分離回路１１６に供給される。
【００６７】
再生時において、多重／分離回路１１６は、記録媒体１１８から読み出されたＴＳ信号から、ビデオＥＳ、オーディオＥＳの分離処理を行い、分離したオーディオＥＳをＭＰＥＧオーディオデコーダ１１９に供給し、ビデオＥＳをＭＰＥＧビデオデコーダ１２３に供給する。
【００６８】
ＭＰＥＧオーディオデコーダ１１９以降の各回路部の処理、および、ＭＰＥＧビデオデコーダ１２３以降の各回路部の処理は、デジタル入力を用いる場合において説明した通りである。すなわち、ＭＰＥＧオーディオデコーダ１１９に供給されたオーディオＥＳからアナログオーディオ信号が形成されて出力され、ＭＰＥＧビデオデコーダ１２３に供給されたビデオＥＳからアナログビデオ信号が形成されて出力される。
【００６９】
これにより、アナログオーディオ出力端子１２２、アナログビデオ出力端子１２７の後段に接続された例えばＴＶセットを通じて、ハードディスク１１８から読み出されたビデオデータ、オーディオデータに応じた画像、音声を出力し、これを視聴することができるようにされる。
【００７０】
もちろん、ハードディスク１１８から読み出されたデジタルビデオ信号、デジタルオーディオ信号をデジタルインターフェイス回路１０２、デジタル入力／出力端子１０１、あるいは、通信インターフェイス１３０、通信用接続端子１３１を通じて、他の部屋のハードディスクレコーダなどに供給する事もできるようにされている。
【００７１】
［通信用接続端子、通信インターフェイスの利用について］
また、上述もしたように、この実施の形態のハードディスクレコーダは、通信インターフェイス１３０、通信用接続端子１３１を備え、例えば、電話回線などを経由してインターネットなどのネットワークに接続し、そのネットワークを通じて、各種のデータを取得したり、また、各種のデータをネットワークに送出したりすることができるものである。
【００７２】
ここで、送受可能な各種のデータとしては、ビデオデータやオーディオデータの他、各種のプログラムやテキストデータなどの送受も可能である。ビデオデータやオーディオデータの場合には、多重／分離回路１１６を通じて、記録媒体１１８に記録することができる。
【００７３】
また、多重／分離回路１１６と、ＭＰＥＧオーディオデコーダ１１９、ポスト音声信号処理回路１２０、Ｄ／Ａ変換器１２１、オーディオ出力端子１２２からなるオーディオ信号の再生系と、ＭＰＥＧビデオデコーダ１２３、ポスト映像信号処理回路１２４、ＯＳＤ１２５、ＮＴＳＣエンコーダ１２６、ビデオ出力端子１２７からなるビデオ信号の再生系を用いることによって、通信ネットワークを通じて取得したビデオデータやオーディオデータを再生し、これらを利用することもできるようにされる。
【００７４】
また、通信インターフェイス１３０、通信用接続端子１３１を通じて取得したビデオデータやオーディオデータをデジタルインターフェイス回路１０２、デジタル入力／出力端子１０１、あるいは、通信インターフェイス１３０、通信用接続端子１３１を通じて、他の部屋のＴＶセット４Ｂ〜４Ｄなどにも供給することもできるようにされている。
【００７５】
さらに、この実施の形態のハードディスクレコーダにおいて用いられるプログラムや制御データなどの提供をネットワークを通じて受けて、これをＥＥＰＲＯＭ１４３などに記録保持し、必要に応じてこれを利用するようにするなどのこともできる。
【００７６】
例えば、通信ネットワークを通じて、この実施の形態のハードディスクレコーダの機能をアップさせるようにしたり、ＥＰＧデータなどを事前に得て、予め電子番組案内表を作成したりしておくなどのことができるようにされる。
【００７７】
なお、この実施の形態においては、ビデオデータとオーディオデータとは、ＭＰＥＧ方式の圧縮を行うようにしているが、他の圧縮方式を用いることも可能であるし、また、データ圧縮することなく、非圧縮のまま処理することも可能である。
【００７８】
また、デジタル入力／出力端子１０１、デジタルインターフェイス回路１０２を通じて、自機宛ての制御信号を受信したときには、これは、デジタルインターフェイス回路１０２からＣＰＵ１４０に供給されて用いるようにされる。逆に、この実施の形態のハードディスクレコーダのＣＰＵ１４０からの要求などの信号は、デジタルインターフェイス回路１０２、デジタル入力／出力端子１０１を通じて、目的とする機器に送信することもできるようにされる。
【００７９】
［ＢＳ／ＣＳチューナ有りハードディスクレコーダについて］
次に、ＢＳ／ＣＳチューナを有するハードディスクレコーダ１（３）の構成と動作について説明する。図３は、ハードディスクレコーダ１（３）を説明するためのブロック図である。図３と図２とを比較すると分かるように、この図３に示すハードディスクレコーダ１（３）は、デジタルＢＳ／ＣＳチューナ１５０を備える点を除けば、図２に示したＢＳ／ＣＳチューナ無しのハードディスクレコーダ１（１）、１（２）、１（４）と同様に構成されたものである。このため、図３に示すハードディスクレコーダ１（３）おいて、図２に示したハードディスクレコーダ１（１）、１（２）、１（４）と同様に構成される部分には、同じ参照符号を付し、それらの説明については省略することとする。
【００８０】
ここでは、デジタルＢＳ／ＣＳチューナー１５０を通じて、ＢＳデジタル放送信号、ＣＳデジタル放送信号を受信し、これをハードディスク１１８に記録したり、アナログ出力したりする場合の動作について説明する。
【００８１】
デジタルＢＳ／ＣＳチューナー１５０には、衛星からのデジタル放送信号を受信するためのパラボナアンテナＡＮＴ２が接続されている。そして、デジタルＢＳ／ＣＳチューナー１５０は、ＣＰＵ１４０から供給されるユーザーからの選局指示に応じた選局制御信号に基づいて、目的とするデジタル放送信号を受信、選局し、この受信、選局したデジタル放送信号を多重／分離回路１１６に供給する。
【００８２】
デジタル放送信号は、番組伝送路としてのチャンネル毎に、ＰＳＩ（Program Specific Information）と呼ばれる選局情報や電子番組案内表を形成するためのＥＰＧ（Electronic Program Guide）データなどの種々の制御データと共に、放送番組を構成する画像データ（ビデオデータ）や音声データ（オーディオデータ）、その他の種々のデータがパケット化され、多重化されて送信されるものであり、いわゆるＴＳ信号の形式とされたものである。
【００８３】
各パケットのそれぞれには、識別子（ＩＤ）が付加されており、この識別子によって、ＰＳＩデータやＥＰＧデータを抽出したり、同じ番組を構成する画像パケットや音声パケットを抽出したりすることができるようにされている。
【００８４】
多重／分離回路１１６は、デジタルＢＳ／ＣＳチューナ１５０からのＴＳ信号からＰＳＩやＥＰＧデータを抽出し、これをＣＰＵ１４０に供給して、番組の選択を可能にすると共に、ＥＰＧ（電子番組案内表）を形成して、これをユーザーからの指示に応じて表示するように出力し、電子番組案内表を通じての番組選択や録画予約などを可能にする。
【００８５】
また、多重／分離回路１１６は、選択された番組の記録が指示されている場合には、デジタルＢＳ／ＣＳチューナー１５０からのＴＳ信号からユーザーにより選択された目的とする番組のビデオパケットとオーディオパケットとを抽出して、これらと必要な制御データとからなる新たなＴＳ信号を形成し、これをバッファ制御回路１１７を通じてハードディスク１１８に記録するようにする。
【００８６】
同時に、多重／分離回路部１１６は、デジタルＢＳ／ＣＳチューナ１５０からのＴＳ信号から抽出された目的とする番組のビデオパケットからビデオＥＳを形成し、これをＭＰＥＧビデオデコーダ１２３に供給し、また、オーディオパケットからオーディオＥＳを形成して、これをＭＰＥＧオーディオデコーダ１１９に供給する。
【００８７】
ＭＰＥＧオーディオデコーダ１１９以降の各回路部の処理、および、ＭＰＥＧビデオデコーダ１２３以降の各回路部の処理は、上述したデジタル入力を用いる場合において説明した通りである。すなわち、ＭＰＥＧオーディオデコーダ１１９に供給されたオーディオＥＳからアナログオーディオ信号が形成されて出力され、ＭＰＥＧビデオデコーダ１２３に供給されたビデオＥＳからアナログビデオ信号が形成されて出力される。
【００８８】
これにより、アナログオーディオ出力端子１２２、アナログビデオ出力端子１２７の後段に接続された例えばＴＶセットを通じて、デジタルＢＳ／ＣＳチューナ１５０を通じて受信選局し、さらに選択した放送番組のビデオデータ、オーディオデータに応じた画像、音声を出力し、テレビ放送番組を視聴することもできるようにされる。
【００８９】
このように、この実施の形態のハードディスクレコーダ１（３）においては、デジタルＢＳ／ＣＳチューナー１５０を通じて受信、選局したデジタル放送信号から目的とする番組のビデオデータとオーディオデータとを抽出し、これをハードディスク１１８に記録すると共に、同時にアナログビデオ信号とアナログオーディオ信号とを形成して、これを出力することができるようにされる。つまり、デジタル放送信号として提供される目的とする番組をハードディスク１１８に記録しながら、その番組を視聴することができるようにされている。
【００９０】
また、上述したように、多重／分離回路１１６において新たに形成するようにしたＴＳ信号をデジタルインターフェイス回路１０２、デジタル入力／出力端子１０１、あるいは、通信インターフェイス１３０、通信用接続端子１３１を通じて、他の部屋のハードディスクレコーダや他の記録装置やパーソナルコンピュータなどの外部機器に対して供給することもできるようにされている。この場合、デジタルインターフェイス回路１０２においては、これに供給されたデジタル信号を外部の機器に適合する形式のデジタル信号に変換し、これを出力する子ともできるようにされている。
【００９１】
［ハードディスクレコーダにおいての録画予約について］
そして、図２に示したハードディスクレコーダ１（１）、１（２）、１（４）と図３に示したハードディスクレコーダ１（３）とのいずれにおいても、テレビ放送番組の録画予約は同じようにして行われる。このため、特に必要な場合を除き、ここでは、ハードディスクレコーダ１（１）、１（２）、１（３）、１（４）をハードディスクレコーダとして説明する。
【００９２】
すなわち、ユーザーは、この実施の形態のハードディスクレコーダに録画予約を行う場合、リモコン１４５を通じて所定の操作を行う、ＥＰＧをハードディスクレコーダに接続されたテレビ受像機の表示画面に表示し、この表示されたＥＰＧを介して、目的とする番組を選択するようにするだけで、簡単に録画予約を行うことができるようにされる。
【００９３】
この場合、リモコン１４５の矢印キーなどのカーソル移動キーを操作することにより、表示されたＥＰＧ上のカーソルを移動させるようにして、目的とする放送番組を選択することができるようにされる。この場合のカーソルの表示は、ＣＰＵ１４０、ＯＳＤ回路１２５等の各部が共同して行うようにしている。
【００９４】
このようにＥＰＧを通じて行った録画予約は、例えば、ＥＥＰＲＯＭ１４３やハードディスク１１８の所定の領域に記憶保持され、一覧表示して予約状況を確認したり、録画予約の変更や削除などを行ったりすることもできるようにされる。
【００９５】
しかし、ＥＰＧを用いた録画予約を行う場合、ＥＰＧはＢＳ放送やＣＳ放送の番組情報や、有料番組や地方放送の番組の番組情報をも含んでいる。このため、例えば、ＢＳ／ＣＳチューナを持たないハードディスクレコーダ１（１）、１（２）において、ＢＳ放送の番組の録画予約を行ってしまったり、あるいは、受信不能な地方局放送の放送番組を録画予約してしまったりして、結局、放送番組の録画が行えないということが発生する可能性がある。
【００９６】
そこで、この実施の形態のハードディスクレコーダにいては、自機の機能では受信選局できない放送信号により提供される放送番組についての録画予約が行われた場合には、その目的とする放送信号の受信選局が可能な他のハードディスクレコーダなどの録画予約を転送して、録画を代行させるようにしている。
【００９７】
図４は、この実施の形態のホームネットワークシステムにおいて行われる放送番組の録画予約処理を説明するための図である。なお、録画予約は、例えば、明日の録画予約、３日後の録画予約、１週間後の録画予約、…、というように、後日についての録画予約も当然にできるものであるが、ここでは、説明を簡単にするため、当日の録画予約の場合を例にして説明する。
【００９８】
図４に示すように、ハードディスクレコーダ１（１）に対して、録画予約（Ａ）が示すように、午後８時から午後１０時まで放送チャンネルが８チャンネル（８ｃｈ）の録画予約を行い、この後、午後１０時から午後１１時の放送チャンネルがＢＳ１１チャンネルの録画予約を行ったとする。この場合、上述もしたように、ハードディスクレコーダ１（１）は、ＢＳ／ＣＳチューナを備えていないので、ＢＳ放送の番組の録画予約はできない旨の警告メッセージが出力するようにされる。
【００９９】
このような録画不能な録画予約についてのチェックは、ハードディスクレコーダ１（１）のＣＰＵ１４０において、今回入力された録画予約情報と自機の有する機能を示す情報とを比較することにより、比較的に簡単かつ正確に判別することが可能である。このような受信選局ができない放送信号による放送番組（録画不能な放送番組）の録画予約が行われ他場合には、ハードディスクレコーダ１（１）のＣＰＵ１４０１５は、すぐにＬＡＮ上にある他のハードディスクレコーダ１（２）、１（３）に対して、ＬＡＮ経由で当該２つ目の録画予約情報（午後１０時から午後１１時の放送チャンネルがＢＳ１１チャンネルの録画予約情報を受け取れて予約が可能かどうか問い合わせる。
【０１００】
図４に示した例の場合、ハードディスクレコーダ１（２）は、ハードディスクレコーダ１（１）と同様に、ＢＳ／ＣＳチューナは備えていないので、この録画予約は受け付けられないとの通知をハードディスクレコーダ１（１）に返信する。この場合、ハードディスクレコーダ１（１）は、録画予約は受け付けられない旨の通知を返信してきたハードディスクレコーダ１（２）をパスし、次のハードディスクレコーダ１（３）へと問い合わせを行う。
【０１０１】
ハードディスクレコーダ１（３）は、図３に示したように、デジタルＢＳ／ＣＳチューナ１５０を備えており、同時刻にＢＳ放送の録画予約がない限りハードディスクレコーダ１（１）からの録画予約を受け付けることが可能である。ここでは、同時刻にＢＳ放送ン録画予約がないものとする。
【０１０２】
この場合には、ハードディスクレコーダ（３）は、ハードディスクレコーダ１（１）からの録画予約を受け入れられることをハードディスクレコーダ１（１）に通知し、図４においてハードディスクレコーダ１（３）についての録画予約（Ｂ）に示したように、ハードディスクレコーダ１（１）からの録画予約を受け付ける。これにより、ハードディスクレコーダ１（３）においては、ハードディスクレコーダ１（１）の代わりに午後１０時から午後１１時の放送チャンネルがＢＳ１１チャンネルのテレビ放送番組を録画することになる。
【０１０３】
そして、ハードディスクレコーダ１（３）が受け付けたハードディスクレコーダ１（１）からの録画予約は、自機において発生したものではなく、ハードディスクレコーダ１（１）からの録画予約であるので、図４において録画予約（Ｂ）に示すように、ハードディスクレコーダ１（１）から受け付けた録画予約であることが分かるように、他機から受け付けた録画予約であることを示す情報と、その他機はハードディスクレコーダ１（１）であることを示す情報（この例の場合には、符号１（１））が付加するようにされる。
【０１０４】
また、ハードディスクレコーダ１（１）においては、午後１０時から１１時の放送チャンネルＢＳ１１チャンネルのテレビ放送番組の録画予約はそのまま受け付けられる。しかし、図４において、ハードディスクレコーダ１（１）の録画予約（Ａ１）に示すように、午後１０時から午後１１時の放送チャンネルがＢＳ１１チャンネルのテレビ放送番組の録画予約は、ハードディスクレコーダ１（３）において代行されることが把握できるように、録画予約情報に転送先を歩示す情報（この例の場合には、符合「１（３）」）が付加される。
【０１０５】
そして、ハードディスクレコーダ１（３）において受け付けられたハードディスクレコーダ１（１）からの録画予約情報（午後１０時−午後１１時、ＢＳ１１チャンネル）に基づいて、録画予約時刻が到来すると、ハードディスクレコーダ１（３）において、ＢＳ１１チャンネルの放送チャンネルを通じて放送されている放送番組の録画を実行する。
【０１０６】
そして、午後１１時に、この録画予約情報に基づいた録画処理がハードディスクレコーダ１（３）において終了すると、ハードディスクレコーダ１（３）は、この録画した番組情報（番組を構成映像データ、音声データなど）を１つのファイルとして指令元であるハードディスクレコーダ１（１）に向けてＬＡＮを介してファイル転送し、この転送終了後において自らのファイルは消去するようにする動作（ムーブ処理）を行う。このムーブ処理は、コピーを作らず、著作権の保護の観点からも有効であるが、この操作が必要のないコンテンツは転送（コピー）だけを行うようにすることも可能である。
【０１０７】
なお、ここでは、ハードディスクレコーダ１（１）がユーザーからの録画予約を受け付けたいわゆる録画予約元である場合を例にして説明したが、ハードディスクレコーダ１（２）においても同様に録画予約情報の転送が行われ、予約された録画の代行を行うようにすることができるようにされる。
【０１０８】
また、以下においては、必要に応じて、上述のようにユーザーからの予約情報を直接に受け付けたハードディスクレコーダを録画予約元のハードディスクレコーダと呼び、予約元のハードディスクレコーダからの録画予約情報を受け付けて、録画予約されたテレビ放送番組の録画を代行するハードディスクレコーダを録画予約先のハードディスクレコーダと呼ぶこととする。
【０１０９】
［ハードディスクレコーダにおいて行われる処理について］
次に、この実施の形態のホームネットワークシステムのハードディスクレコーダ１（１）、１（２）、１（３）において行われる録画予約に関する種々の処理についてフローチャートを参照しながら説明する。なお、ここでも、特に区別して示した場合を除き、ハードディスクレコーダ１（１）、１（２）、１（３）のそれぞれを、単にハードディスクレコーダと呼ぶこととする。
【０１１０】
［録画予約受付処理］
まず、この実施の形態のハードディスクレコーダにおいて行われる録画予約受付処理について説明する。図５は、この実施の形態のハードディスクレコーダにおいて行われる録画予約受付処理を説明するためのフローチャートである。この図５に示す処理は、例えば、機能選択メニューから録画予約を選択することにより実行される。
【０１１１】
図５に示す処理が実行されると、ハードディスクレコーダのＣＰＵ１４０は、自機の例えばＥＥＰＲＯＭ１４３に保持しているＥＰＧデータに応じたＥＰＧを、自機に接続されたテレビ受像機の表示画面に表示して、録画予約するテレビ放送番組の選択入力を受け付ける（ステップＳ１０１）。すなわち、このステップＳ１０１の処理は、ユーザーからの録画予約情報の入力を受け付ける処理である。なお、ＥＰＧの表示は、ＣＰＵ１４０がＥＥＰＲＯＭのＥＰＧデータを用いＯＳＤ回路１２５を通じて行うことになる。
【０１１２】
そして、ステップＳ１０１において、目的とするテレビ放送番組の選択入力ではなく、録画予約処理の終了操作を受け付けたか否かを判断する（ステップＳ１０２）。ステップＳ１０２の判断処理において、終了操作を受け付けたと判断したときには、この図５に示す処理を終了する。また、ステップＳ１０２の判断処理において、終了操作を受け付けていないと判断したときには、受け付けた放送番組の選択入力に応じた録画予約情報を設定する（ステップＳ１０３）。
【０１１３】
この後、ＣＰＵ１４０は、ステップＳ１０３で新たに設定された録画予約情報に応じた放送番組が受信選局可能なものか否かを判断する（ステップＳ１０４）。このステップＳ１０４においては、録画予約情報によって示される放送信号を自機が備える機能で受信選局可能か否かを判別する処理である。このステップＳ１０４の判断処理は、自機が保持する自機の機能等に関する情報に基づいて行うことになる。
【０１１４】
図６は、この実施の形態のハードディスクレコーダが例えばＥＥＰＲＯＭ１４３に記憶保持する自機の機能等に関する情報の一例を説明するための図である。図６（Ａ）は、受信選局可能な放送信号を示す受信機能情報であり、図６（Ｂ）は、受信選局可能な放送信号の放送局、すなわち受信選局可能な放送チャンネルを示す受信可能局情報である。
【０１１５】
この図６（Ａ）に示した受信機能情報は、アナログ地上波テレビ放送のみの受信が可能であり、デジタル地上波テレビ放送、ＢＳ放送、ＣＳ放送の受信機能は備えていないことを示している。したがって、この実施の形態のハードディスクレコーダ１（１）、１（２）、１（４）は、放送信号の受信機能としては、アナログ地上波テレビ放送のみの受信選局が可能であるため、図６（Ａ）に示したような受信機能情報を有することになる。
【０１１６】
また、図６（Ｂ）に示した受信可能局情報は、東京およびその近郊において受信選局可能な放送チャンネルが受信可能な放送チャンネルとして設定されたものである。図６（Ｂ）の場合には、東京およびその近郊において一般に慣用チャンネル番号でいえば、ＶＨＦ帯で受信選局可能な放送チャンネルが、１チャンネル、３チャンネル、４チャンネル、６チャンネル、８チャンネル、１０チャンネル、１２チャンネルであり、ＵＨＦ帯で受信選局可能な放送チャンネルが例えば４３チャンネルであることを示している。
【０１１７】
したがって、ステップＳ１０４の判断処理においては、図６（Ａ）、図６（Ｂ）に示した自機の機能等に関する情報に基づいて、受け付けた録画予約情報により示される放送番組の受信選局が可能か否かを判断することになる。すなわち、この実施の形態のハードディスクレコーダ１（１）、１（２）においては、ＢＳ放送信号やＣＳ放送信号、受信不能な地方局の放送信号などは、自機において受信選局できないものと判断することになる。また、図６（Ｂ）に示した放送チャンネル以外の放送チャンネルが指示するようにされた場合には、自機において受信選局できないものと判断することになる。
【０１１８】
なお、この実施の形態のハードディスクレコーダにおいては、図６（Ａ）に示したような受信機能情報は、製造時などにおいて予め設定されているものである。また、図６（Ｂ）に示したような受信可能局情報は、使用開始時において、例えば、使用場所を入力することにより、その使用場所において受信選局可能な放送チャンネルの設定を行うことができ、かつ、変更や削除なども適宜行うことができるようにされている。
【０１１９】
そして、ステップＳ１０４の判断処理において、録画予約情報に応じた放送番組が受信選局可能なものであると判断したときには、ＣＰＵ１４０は、ステップＳ１０１からの処理を繰り返し、録画予約の受け付けを繰り返すようにする。
【０１２０】
ステップＳ１０４の判断処理において、録画予約情報に応じた放送番組が受信選局可能なものでない（受信選局不能である）と判断した時には、ＣＰＵ１４０は、録画予約情報を転送可能な他の記録装置（ハードディスクレコーダ）が存在するか否かを判断する（ステップＳ１０５）。
【０１２１】
ここで、ステップＳ１０４の判断が自機がＢＳ／ＣＳチューナを持っていないために録画予約情報に応じた放送番組が受信選局可能なものでない場合、ステップＳ１０５の判断処理においては、例えば、ＬＡＮ上に応答要求を送出して、これに応答してきたハードディスクレコーダをＬＡＮ上に接続された記録装置として認識し、この認識した記録装置を識別する情報を保持して、この情報に基づいて他の記録装置が存在するか否かを判断することが可能である。
【０１２２】
なお、その都度、ＬＡＮ上に応答要求を送出して、これに応答してきたハードディスクレコーダをＬＡＮ上に接続された記録装置として認識するようにしてもよいし、一度認識したハードディスクレコーダをＬＡＮ上の記録装置として各ハードディスクレコーダの例えばＥＥＰＲＯＭ１４３に登録した後においては、このＥＥＰＲＯＭ１４３の情報に基づいて、ＬＡＮ上に自機以外の記録装置が存在するか否かを判断するようにすることもできる。
【０１２３】
また、録画予約情報に応じた放送番組が地方局からの放送であるために受信選局可能なものでない場合においては、このステップＳ１０５の判断処理においては、自己の例えばＥＥＰＲＯＭ１４３などのメモリーに予め登録された当該地方局の放送信号の受信選局が可能な記録装置が存在するか否かを判断することにより、他の記録装置が存在するか否かを判断することが可能である。
【０１２４】
図７は、例えば、地方にある親類や友人などの所有するハードディスクレコーダであって、録画予約の転送が許可された協力関係にあるハードディスクレコーダ等の一覧リスト（広域ネットワーク上の協力ハードディスクレコーダリスト）を説明するための図である。この図７に示すように、この実施の形態のハードディスクレコーダ１（１）、１（２）、１（３）のそれぞれは、広域ネットワークに接続され、相互に通信を行うことができるようにされた協力関係にあるハードディスクレコーダ等の記録装置を登録しておくことができるようにされている。
【０１２５】
図７に示すように協力関係にあるハードディスクレコーダなどの記録装置のリストは、協力関係にある相手先の記録装置を識別するための識別ＩＤ、当該相手先の記録装置の設置場所を示す住所情報、当該相手先の記録装置が受信可能な放送チャンネルを示す情報（受信可能局情報）、当該相手先の記録装置との間に通信回線（電話回線）を接続するための電話番号、当該相手先の記録装置の所有者情報、その他の情報からなっている。
【０１２６】
そして、上述もしたように、受け付けた録画予約情報が地方局の放送チャンネルを指示するものであり、その放送チャンネルが受信選局できない場合には、例えば、ＥＥＰＲＯＭ１４３などに記憶保持される図７に示した広域ネットワーク上の協力ハードディスクレコーダリストから、目的とする放送チャンネルの放送信号の受信選局が可能な協力関係にあるハードディスクレコーダが存在するか否か（録画予約情報の転送が可能な他の記録装置が存在するか否か）を判断することになる。なお、この実施の形態においては、ハードディスクレコーダ１（１）、１（２）、１（３）との間で協力関係にある広域ネットワーク上の記録装置は、ハードディスクレコーダ１（４）である。
【０１２７】
ステップＳ１０５の判断処理において、録画予約情報を転送可能な他の記録装置が存在すると判断したときには、その内の１つに対して、受け付けた録画予約情報に応じた放送信号の受信選局が可能であって、当該録画予約情報の受付が可能か否かの問い合わせを行う（ステップＳ１０６）。そして、問合せ先となった当該他の記録装置からの応答情報を確認し、録画予約が可能か否かを判断する（ステップＳ１０７）。
【０１２８】
なお、ステップＳ１０６の処理においては、ＬＡＮ上のハードディスクレコーダに対してはＬＡＮを通じて問い合わせを行うが、広域ネットワーク上の協力関係にある記録装置に対しては、ＬＡＮおよび広域ネットワーク５を介して問い合わせを行うことになる。したがって、広域ネットワーク５上の記録装置に対して問い合わせを行う場合には、通信回線の接続処理と、場合によっては接続した通信回線の切断処理を行うことになる。
【０１２９】
ステップＳ１０７の判断処理において、問合せ先となった当該他の記録装置からの応答情報が録画予約不能を通知するものであるときには、ステップＳ１０５からの処理を繰り返し、当該ＬＡＮ上に別の記録装置が存在するか否かを判断して、存在する場合には、その記録装置に対して、予約録画が可能か否かの問い合わせを行うことになる。
【０１３０】
そして、ステップＳ１０７の判断処理において、問合せ先の当該他の記録装置（ハードディスクレコーダ）からステップＳ１０１において新たに受け付けた録画予約情報に応じた録画予約が可能であるとの応答が返信されてきたと判断したときには、ＣＰＵ１４０は、録画予約可能な当該他の記録装置であるハードディスクレコーダに対して、ステップＳ１０１において今回受け付けるようにした録画予約情報を送信して、当該他の記録装置に対して録画予約を行う（ステップＳ１０８）。この後、ステップＳ１０１からの処理を繰り返し、録画予約情報の入力を繰り返し受け付けるようにする。
【０１３１】
なお、ステップＳ１０５の判断処理において、ＬＡＮ上にステップＳ１０１において受け付けた録画予約を受け付けることのできる他の記録装置が存在しないと判断したときには、ステップＳ１０１で受け付けるようにした録画予約に応じた録画はできない旨をユーザーに警告する（ステップＳ１０９）。そして、録画予約情報の修正を受け付けたか否かを判断する（ステップＳ１１０）。
【０１３２】
ステップＳ１１０の判断処理において、録画予約情報の修正を受け付けていないと判断したときには、ステップＳ１０９からの処理を繰り返し、録画予約情報の修正を受け付けたと判断したときには、ステップＳ１０３からの処理を繰り返して、録画予約の時間帯が重複してないかの確認を行うことになる。
【０１３３】
このように、この実施の形態のホームネットワークシステムを構成する記録装置であるハードディスクレコーダ１（１）、１（２）、１（３）のそれぞれは、録画予約された放送番組を提供する放送信号を自機が受信選局することができないものである場合、当該録画予約を、同じＬＡＮ上に存在する他のハードディスクレコーダのうち、その録画予約情報により示される放送信号の受信選局が可能なハードディスクレコーダに対して行うことができるようにしている。
【０１３４】
なお、上述もしたように、録画予約された放送信号が地方局から放送されるために自機において録画できない場合には、ハブ３、ルータ４、広域ネットワーク５を通じて、目的とする記録装置である例えばハードディスクレコーダ１（４）との間に通信回線を接続し、録画予約情報を転送することができるようにしている。
【０１３５】
［自機宛ての情報の受付処理（受信処理）について］
次に、ＬＡＮや電話網やインターネットなどの広域ネットワークを通じて送信されてくる録画予約情報などの自機宛ての情報の受付処理について説明する。図８は、この実施の形態のハードディスクレコーダ１において行われる自機宛ての情報の受付処理を説明するためのフローチャートである。この図８に示す処理は、この実施の形態のハードディスクレコーダのそれぞれにおいて、ＬＡＮや広域ネットワークを通じての情報を受け付けることが可能な場合に実行される。
【０１３６】
図８に示す処理が実行されると、この実施の形態のハードディスクレコーダのＣＰＵ１４０は、自機が接続されているＬＡＮや広域ネットワークを通じて自機宛ての情報の受信待ちとなり（ステップＳ２０１）、このステップＳ２０１において、自機宛ての情報を受信した判断したときには、ＣＰＵ１４０は、その受信した自機宛の情報は、録画予約の可否の問い合わせか否かを判断する（ステップＳ２０２）。
【０１３７】
ステップＳ２０２の判断処理において、受信した自機宛の情報が録画予約の可否の問い合わせであると判断したときには、自機のＥＥＰＲＯＭ１４３などに記憶保持している図６に示したような自機の機能等に関する情報や既に登録されている録画予約情報を確認する（ステップＳ２０３）。そして、受信した録画予約の可否の問い合わせ情報と、自機のＥＥＰＲＯＭ１４３などに記憶保持している自機の機能に関する情報や録画予約情報に基づいて、他機からの録画予約の受け付けが可能か否かを判断する（ステップＳ２０４）。
【０１３８】
ステップＳ２０４の判断処理において、録画予約の受け付けが可能であると判断したときには、ＣＰＵ１４０は、受入可能応答を形成し、これをデジタルインターフェイス回路１０２、デジタル入力／出力端子１０１、あるいは、通信インターフェイス１３０、通信用接続端子１３１を通じて、録画予約可否の問い合わせ元のハードディスクレコーダに対して返信する（ステップＳ２０５）。
【０１３９】
そして、ＣＰＵ１４０は、録画予約可否の問い合わせ元のハードディスクレコーダから送信されてくる録画予約情報の受信待ちとなる（ステップＳ２０６）。そして、ステップＳ２０６の判断処理において、録画予約情報を受信したと判断したときには、ＣＰＵ１４０は、例えばＥＥＰＲＯＭ１４３に、録画予約情報と要求元のハードディスクレコーダの識別情報とを登録し（ステップＳ２０７）、この後、ステップＳ２０１からの処理を繰り返す。
【０１４０】
また、ステップＳ２０６の判断処理において、録画予約情報を受信していないと判断したときには、受入可能応答を返信してから所定時間経過したか否かを判断し（ステップＳ２０８）、まだ所定時間経過していないと判断していないときには、ステップＳ２０６からの処理を繰り返し、所定時間経過したと判断したときには、録画予約情報は送信されてこないと判断して、ステップＳ２０１からの処理を繰り返すようにする。
【０１４１】
また、ステップＳ２０４の判断処理において、自機の機能等に関する情報や既に登録されている録画予約情報に基づいて、録画予約の受け付けができないと判断した場合には、ＣＰＵ１４０は、受入不能応答を形成して、これを録画予約可否の問い合わせ元のハードディスクレコーダに対して返信する（ステップＳ２０９）。この後、ステップＳ２０１からの処理を繰り返すようにする。
【０１４２】
また、ステップＳ２０２の判断処理において、受信した自機宛の情報は、録画予約の可否の問い合わせではないと判断した時には、ＣＰＵ１４０は、受信した自機宛ての情報に応じた他の処理を行い（ステップＳ２１０）、この後、ステップＳ２０１からの処理を繰り返すようにする。なお、ステップＳ２１０において行われる処理の一例をあげると、たとえば、受信した自機宛ての情報が、コンテンツの提供要求である場合には、ＣＰＵ１４０は、その要求されたコンテンツをハードディスク１１８から読み出し、要求元のハードディスクレコーダにデジタルインターフェイス回路１０２、デジタル入力／出力端子１０１、ＬＡＮを通じて、あるいは、通信インターフェイス１３０、通信用接続端子１３１、広域ネットワーク５を通じて、目的とする相手先に送信することになる。
【０１４３】
このように、この実施の形態のハードディスクレコーダは、ＬＡＮや広域ネットワークを通じて送信されてくる自機宛ての情報を受信し、この受信した情報に応じた処理を行うようにすることができるものである。そして、他機からの録画予約を受け付け可能である場合には、その他機からの録画予約を受け付けて、その他機に変わって録画を行うことができるようにしている。
【０１４４】
［他機からの録画予約を受け付けたハードディスクレコーダの処理について］
次に、図８に示した処理を通じて他機からの録画予約情報を受け付けた場合や図５に示した処理を通じてユーザーからの録画予約情報の直接入力を受け付けた場合において、この実施の形態のハードディスクレコーダで行われる録画予約に基づく録画処理について説明する。
【０１４５】
図９は、この実施の形態のハードディスクレコーダにおいて実行される録画予約に基づく録画処理について説明するためのフローチャートである。この図９に示す処理は、録画予約されたこの実施の形態のハードディスクレコーダにおいて、再生処理などが行われておらず、録画の処理待ち状態となっている場合に行われる処理である。
【０１４６】
録画の処理待ち状態にあるハードディスクレコーダのＣＰＵ１４０は、自己のＥＥＰＲＯＭ１４３などに記憶保持されている録画予約情報の録画開始時刻と、タイマー１４６が提供する現在時刻とを比較して、録画予約されたテレビ放送番組の録画開始時刻が到来したか否かを判断する（ステップＳ３０１）。
【０１４７】
ステップＳ３０１の判断処理において、録画開始時刻が到来していないと判断したときには、ステップＳ３０１の処理を繰り返し、録画開始時刻が到来するまで待ち状態となる。ステップＳ３０１の判断処理において、録画予約されたテレビ放送番組の録画開始時刻が到来したと判断したときには、ＣＰＵ１４０は、録画予約情報にしたがってハードディスクレコーダの各部を制御し、録画予約されたテレビ放送番組の録画を開始する（ステップＳ３０２）。
【０１４８】
そして、ＣＰＵ１４０は、自己のＥＥＰＲＯＭ１４３などに記憶保持されている録画予約情報の録画終了時刻と、タイマー１４６が提供する現在時刻とを比較して、録画予約されたテレビ放送番組の録画終了時刻が到来したか否かを判断する（ステップＳ３０３）。
【０１４９】
ステップＳ３０３の判断処理において、録画開始時刻が到来していないと判断したときには、録画処理を続行しながら、ステップＳ３０３の処理を繰り返し、録画終了時刻が到来するまで待ち状態となる。ステップＳ３０３の判断処理において、録画予約されたテレビ放送番組の録画終了時刻が到来したと判断したときには、ＣＰＵ１４０は、ハードディスクレコーダの各部を制御し、実行していたテレビ放送番組の録画を終了させる（ステップＳ３０４）。
【０１５０】
そして、ＣＰＵ１４０は、録画処理を終了したテレビ放送番組は、転送すべきコンテンツか否かを判断する（ステップＳ３０５）。具体的には、他機からの録画予約情報に応じて録画したコンテンツか、自機がユーザーから受け付けた録画予約情報に応じて録画したコンテンツか否かを、そのコンテンツの図４に示したような録画予約情報に基づいて判断することになる。
【０１５１】
そして、録画予約により録画したコンテンツの録画予約情報が、要求元の他のハードディスクレコーダの識別情報を含む場合には、ＣＰＵ１４０は、今回録画したコンテンツは、要求元のハードディスクレコーダに転送すべきものであると判断し、録画予約の要求元のハードディスクレコーダに対して、ＬＡＮあるいは広域ネットワーク５を通じて送信するようにする（ステップＳ３０６）。
【０１５２】
この転送が開始されたコンテンツの全部の転送が終了するまで待ち状態となり（ステップＳ３０７）、当該コンテンツの全部の転送が終了した場合には、ＣＰＵ１４０は、ハードディスクレコーダの各部を制御し、転送を終了した当該コンテンツのファイルを自機のハードディスク１１８から削除し（ステップＳ３０８）、この図９に示す処理を終了する。また、ステップＳ３０５の判断処理において、録画予約により録画したコンテンツの録画予約情報が、要求元の他のハードディスクレコーダの識別情報を含まないものである場合には、ＣＰＵ１４０は、録画したコンテンツは転送する必要はないと判断して、この図９に示す処理を終了する。
【０１５３】
このように、他機からの録画予約情報に基づいて、他機が録画を代行することができるようにしている。そして、他機からの録画予約情報に基づいてコンテンツの録画を行った場合には、その録画したコンテンツを要求元のハードディスクレコーダに転送し、録画を行ったハードディスクレコーダのハードディスクからは削除される。
【０１５４】
これにより、録画予約情報を送信してきた他機が、実際にそのコンテンツの録画を行った場合と同様の結果を得ることができる。しかも、実際には、録画予約情報を送信してきた他機において、目的とする放送信号を受信選局することができないために録画できなかったコンテンツ（テレビ放送番組）について、その他機が、その目的とするテレビ放送番組を録画するようにした場合と同様の結果、すなわち、目的とするテレビ放送番組を録画したのと同じ結果をえられる。
【０１５５】
［録画したコンテンツの提供を受ける録画予約元のハードディスクレコーダの処理］
次に、自機からの要求に応じて録画予約先において録画されたテレビ放送番組の提供を受ける録画要求元のハードディスクレコーダの処理について説明する。図１０は、他機に録画予約を行って、当該他機からのテレビ放送番組データの提供を受ける録画予約元のこの実施の形態のハードディスクレコーダの処理を説明するためのフローチャートである。
【０１５６】
図５に示した録画予約受付処理により、録画予約を他機に行ったハードディスクレコーダのＣＰＵ１４０は、図１０に示す情報の提供受付処理を実行する。そして、自機が接続されたＬＡＮを通じて自機宛ての情報を受信したか否かを判断し（ステップＳ４０１）、受信していないと判断したときには、ステップＳ４０１の処理を繰り返す。すなわち、自機宛の情報の受信待ちとなる。
【０１５７】
ステップＳ４０１の判断処理において、自機宛の情報を受信したと判断したときには、受信した情報は、ＣＰＵ１４０は、録画予約先からのテレビ放送番組のデータ（録画番組ファイル）か否かを判断する（ステップＳ４０２）。このステップＳ４０２においての判断処理は、受信した自機宛ての情報のヘッダー情報に含まれる情報の種別を示す情報、送信元を示す情報などと、自機が保持する図４の（Ａ１）に示したような録画予約情報とに基づいて、録画予約先からのテレビ放送番組のデータか否かを判断することが可能である。
【０１５８】
ステップＳ４０２の判断処理において、受信した情報が録画予約先からのテレビ放送番組のデータであると判断したときには、ＣＰＵ１４０は各部を制御し、当該テレビ放送番組のデータ（録画番組ファイル）を自機のハードディスク１１８に保存を開始する（ステップＳ４０３）。そして、当該テレビ放送番組のデータのハードディスクへの保存が終了したか否かを判断し（ステップＳ４０４）、終了していないと判断した時には、ステップＳ４０４の処理を繰り返して、当該テレビ放送番組の保存は終了するまで待ち状態となる。
【０１５９】
ステップＳ４０４の判断処理において、録画予約先から提供されるテレビ放送番組のデータの保存が終了したと判断したときには、ハードディスク１１８の該当ファイルをクローズするなどの終了処理を実行して（ステップＳ４０５）、この図１０に示す処理を終了する。なお、ステップＳ４０２の判断処理において、受信した自機宛の情報が録画予約先からのテレビ放送番組のデータではないと判断した時には、その受信した情報に応じたその他の処理が行われる（ステップＳ４０６）。
【０１６０】
これにより、録画予約元のハードディスクレコーダは、自機において録画処理を実際に行わなくても、同じＬＡＮに接続された他のハードディスクレコーダに対して録画予約を行うようにして録画処理を代行させるようにし、当該他のハードディスクレコーダからテレビ放送番組のデータを得て、これを自機のハードディスク１１８に保存して自由に利用することができるようにされる。
【０１６１】
このように、この実施の形態のハードディスクレコーダは、自機において受信選局することができないテレビ放送信号により提供されるテレビ放送番組についても、ＬＡＮあるいは所定の広域ネットワークに接続された他のハードディスクレコーダなどの記録装置に録画予約を転送し、当該他のハードディスクレコーダに録画を代行させることができる。したがって、自機が受信選局できない放送信号により提供される放送番組についても録画予約ができるようにされる。
【０１６２】
そして、録画予約先の他のハードディスクレコーダにおいて代行して録画されたテレビ放送番組のデータは、録画終了後に録画予約元のハードディスクレコーダに転送されて記憶保持するようにされ、録画予約先の当該他のハードディスクレコーダのハードディスク１１８からは削除されるので、録画予約元のハードディスクレコーダと録画要求先の他のハードディスクレコーダとで同じデータが２重に記憶保持されることもなく、ハードディスクの記憶領域が無駄に使用されることもない。
【０１６３】
［ハードディスクレコーダにおいて行われる処理の他の例について］
ところで、図５から図１０を用いて説明したハードディスクレコーダにおいて行われる処理の場合、最終的には、録画予約元のハードディスクレコーダに、録画予約先のハードディスクレコーダが代行して録画したテレビ放送番組のデータを転送し、録画予約元のハードディスクレコーダが記憶保持するようにした後に、録画予約先のハードディスクレコーダから削除するようにした。
【０１６４】
しかし、場合によっては、録画予約先のハードディスクレコーダにおいて代行して録画したテレビ放送番組のデータを、録画予約先のハードディスクレコーダに残したままにしておきたい場合もある。例えば、録画予約元のハードディスクレコーダのハードディスクの残容量が少ない場合であって、録画予約先のハードディスクレコーダのハードディスクに残容量がたくさん存在している場合などにおいては、録画予約先のハードディスクレコーダに代行して録画したテレビ放送番組のデータを残しておきたい場合がある。
【０１６５】
そこで、図５を用いて説明した録画予約元のハードディスクレコーダにおいての録画予約受付処理と、図８を用いて説明した録画予約先のハードディスクレコーダにおいての自機宛ての情報の受付処理については上述したように行われるが、（１）代行して行われるテレビ放送番組の録画処理、（２）代行して行われた録画処理により得られたテレビ放送番組の提供を要求する処理、（３）代行して行った録画処理により得られたテレビ放送番組を提供する処理については、以下に説明するようにすることも可能である。以下、これらの各処理について説明する。
【０１６６】
［（１）代行して行われるテレビ放送番組の録画処理の他の例について］
図１１は、録画予約先のハードディスクレコーダにおいて、転送されてきた録画予約情報に応じて行う録画処理について説明するためのフローチャートである。この図１１に示す処理は、図９を用いて説明した処理の場合と同様に、録画予約されたハードディスクレコーダ１において、再生処理などが行われておらず、録画の処理待ち状態となっている場合に行われる処理であり、録画要求を受け付各部のけたハードディスクレコーダ１において、等しく行われる処理である。
【０１６７】
録画の処理待ち状態にあるこの実施の形態のハードディスクレコーダのＣＰＵ１４０は、自己のＥＥＰＲＯＭ１４３などに記憶保持されている録画予約情報の録画開始時刻と、タイマー１４６が提供する現在時刻とを比較して、録画予約されたテレビ放送番組の録画開始時刻が到来したか否かを判断する（ステップＳ５０１）。
【０１６８】
ステップＳ５０１の判断処理において、録画開始時刻が到来していないと判断したときには、ステップＳ５０１の処理を繰り返し、録画開始時刻が到来するまで待ち状態となる。ステップＳ５０１の判断処理において、録画予約されたテレビ放送番組の録画開始時刻が到来したと判断したときには、ＣＰＵ１４０は、例えばＥＥＰＲＯＭ１４３に記憶保持されている録画予約情報にしたがってハードディスクレコーダの各部を制御し、録画予約されたテレビ放送番組の録画を開始する（ステップＳ５０２）。
【０１６９】
そして、ＣＰＵ１４０は、自己のＥＥＰＲＯＭ１４３に記憶保持されている録画予約情報の録画終了時刻と、タイマー１４６が提供する現在時刻とを比較して、録画予約されたテレビ放送番組の録画終了時刻が到来したか否かを判断する（ステップＳ５０３）。
【０１７０】
ステップＳ５０３の判断処理において、録画開始時刻が到来していないと判断したときには、録画処理を続行しながら、ステップＳ５０３の処理を繰り返し、録画終了時刻が到来するまで待ち状態となる。ステップＳ５０３の判断処理において、録画予約されたテレビ放送番組の録画終了時刻が到来したと判断したときには、ＣＰＵ１４０は、ハードディスクレコーダの各部を制御し、実行していたテレビ放送番組の録画を終了させる（ステップＳ５０４）。
【０１７１】
このように、この図１１に示した処理は、録画予約元のハードディスクレコーダから提供された録画予約情報に応じた録画処理であっても、自機にされた録画予約の場合と全く同様に行うものである。すなわち、自機のＥＥＰＲＯＭ１４３に保持している録画予約情報に基づいて、録画予約されたテレビ放送番組をハードディスク１１８に録画（記録保持）した後においては、録画処理を終了し、自動転送などすることなく指示があるまで待機するようにしたものである。
【０１７２】
これにより、録画予約元のハードディスクレコーダから提供を受けた録画予約情報に応じて録画を行った場合であっても、録画予約先のハードディスクレコーダのハードディスクに録画予約されたテレビ放送番組のデータが記憶保持するようにされる。
【０１７３】
［（２）代行して行われた録画処理により得られたテレビ放送番組の提供を要求する処理について］
次に、図９を用いて説明したように、録画要求元のハードディスクレコーダからの録画予約情報に基づいて、録画予約先のハードディスクレコーダにおいて代行して行われた録画処理により得られたテレビ放送番組のデータの提供を、録画要求元のハードディスクレコーダが受ける場合において、当該録画要求元のハードディスクレコーダにおいて実行去れる処理について説明する。
【０１７４】
図１２は、代行して行われた録画処理により得られたテレビ放送番組の提供を要求する場合に、録画要求元のハードディスクレコーダにおいて行われる処理を説明するためのフローチャートである。この図１２に示す処理は、既にハードディスク１１８に記憶保持されているコンテンツの再生を行うようにする所定の操作を行った場合に実行される再生処理を説明するためのフローチャートある。
【０１７５】
ハードディスク１１８に記憶保持されているコンテンツを再生するようにするための所定の処理を行うようにすると、ＣＰＵ１４０は、例えば、ＥＥＰＲＯＭ１４３あるいはハードディスク１１８に作成されている録画リストデータに基づいて、録画リストを作成し、これをＯＳＤ回路１２５に供給するようにして、自機に接続されたモニタ受像機の表示画面に録画リストを表示するようにする（ステップＳ６０１）。
【０１７６】
この場合、ＥＥＰＲＯＭ１４３あるいはハードディスク１１８に作成されている録画リストデータは、自機のハードディスク１１８に記憶保持されているものと、自機から転送された録画予約情報に基づいて録画を行った録画予約先の他機のハードディスクに記憶保持されているテレビ放送番組（コンテンツ）についての情報も含んでおり、これらの所在を区別して把握し、ユーザーにも通知することができるようにしている。
【０１７７】
そして、ＣＰＵ１４０は、リモコン１４５、リモコン信号受光部１４４を通じて、ユーザーからの目的とするコンテンツの再生指示入力（選択入力を含む）を受け付け（ステップＳ６０２）、再生が指示されたコンテンツは、自機のハードディスク１１８に記憶保持しているものか否かを判断する（ステップＳ６０３）。
【０１７８】
ステップＳ６０３の判断処理において、再生が要求されたコンテンツは自機のハードディスク１１８に記憶保持されているものではない（他機のハードディスクに記憶保持されているものである）と判断したときには、目的とするコンテンツの提供要求を、当該コンテンツを保持する他のハードディスクレコーダに対してＬＡＮを通じて送信する（ステップＳ６０４）。この場合、コンテンツの提供要求の送信先は、自機から転送された録画予約情報に基づいて録画を行った録画予約先のハードディスクレコーダである。
【０１７９】
そして、コンテンツの提供要求を送信した相手先のハードディスクレコーダからの応答を受信し（ステップＳ６０５）、受信した応答に基づいて、要求したコンテンツの提供が可能か否かを判断する（ステップＳ６０６）。この場合、後述もするように、要求先のハードディスクレコーダにおいて、要求されたコンテンツの提供が可能な場合には、提供可能である旨の応答が返信するようにされ、また、要求先のハードディスクレコーダに要求されたコンテンツが存在しないために提供できない場合や他の処理中であるために要求されたコンテンツの提供ができない場合などにおいては、コンテンツの提供不能である旨の応答が返信するようにされるので、この応答に応じて判別することができるようにされる。
【０１８０】
ステップＳ６０６の判断処理において、要求したコンテンツの提供が可能である旨の応答を受け付けたと判断したときには、ＣＰＵ１４０は、ＬＡＮを通じて送信されてくる目的とするコンテンツ（この場合には、代行されて録画されたテレビ放送番組のデータ）を受信し、これを順次に再生するようにするいわゆるストリーミング再生を開始する（ステップＳ６０７）。
【０１８１】
そして、目的とするコンテンツの全データの受信、再生が完了したり、ストリーミング再生の停止指示を受け付けたりするなど、ストリーミング再生を終了する事象が発生したか否かを判断し（ステップＳ６０８）、発生していないと判断したときにはステップＳ６０８からの処理を繰り返して、終了事象が発生するまで待ち状態となる。ステップＳ６０８の判断処理において、終了事象が発生したと判断したときには、ストリーミング再生を終了し、この図１２に示す処理を終了する。
【０１８２】
また、ステップＳ６０６の判断処理において、要求したコンテンツの提供が不能である旨の応答を受け付けたと判断したときには、ＣＰＵ１４０は、受信した応答に基づいて、要求したコンテンツの提供が不能である旨を通知するメッセージを出力し（ステップＳ６０９）、この図１２に示す処理を終了する。
【０１８３】
なお、ステップＳ６０９の処理においては、表示メッセージをＯＤＳ部１２５、ＮＴＳＣエンコーダ１２６、アナログビデオ出力端子１２７、１２８を通じてモニタ受像機の表示画面に表示するようにしたり、また、警告音や音声メッセージをＡ／Ｄ変換部１２１、アナログオーディオ出力端子１２２を通じて外部のスピーカから放音したりすることができるようにされる。
【０１８４】
また、この実施の形態のハードディスクレコーダに設けられたＬＣＤ（Liquid Crystal Display）へのメッセージの表示やＬＥＤ（Light Emitting Diode）の点灯、点滅などを通じて、また、この実施の形態のハードディスクレコーダに設けられたブザーなどの音声の発生器を制御して警告音を放音するようにするなどして、コンテンツの提供不能を通知するようにしてもよい。
【０１８５】
また、ステップＳ６０３の判断処理において、再生が要求されたコンテンツは自機のハードディスク１１８に記憶保持されているものであると判断したときには、ＣＰＵ１４０は、自機のハードディスク１１８から目的とするコンテンツを読み出して、これを再生する処理を開始する（ステップＳ６１０）。
【０１８６】
そして、目的とするコンテンツの全データの再生が完了したり、当該コンテンツの再生の停止指示を受け付けたりするなど、コンテンツの再生を終了する事象が発生したか否かを判断し（ステップＳ６１１）、発生していないと判断したときにはステップＳ６１１からの処理を繰り返して、終了事象が発生するまで待ち状態となる。ステップＳ６１１の判断処理において、終了事象が発生したと判断したときには、コンテンツの再生を終了し、この図１２に示す処理を終了する。
【０１８７】
このように、録画予約元のハードディスクレコーダは、ＬＡＮを通じて録画予約先のハードディスクレコーダから代行して録画されたテレビ放送番組のデータの提供を受けて、これをストリーミング再生することができる。
【０１８８】
［（３）代行して行った録画処理により得られたテレビ放送番組を提供する処理について］
次に、転送されてきた録画予約情報に応じて代行してテレビ放送番組の録画を行った録画予約先のハードディスクレコーダが、録画予約元のハードディスクレコーダからのコンテンツの提供要求に応じて、代行して録画したテレビ放送番組を提供する処理について説明する。図１３は、録画予約先のハードディスクレコーダに行われる代行して行った録画処理により得られたテレビ放送番組を録画要求元のハードディスクレコーダに提供する処理を説明するためのフローチャートである。
【０１８９】
ＬＡＮに接続されたハードディスクレコーダのそれぞれ、および、広域ネットワークに接続された協力関係にあるハードディスクレコーダ等の記録装置は、自機宛の情報を受信するようにしており、自機宛ての情報を受信するまで待ち状態となる（ステップＳ７０１）。ステップＳ７０１の判断処理において、自機宛の情報を受信したと判断したときには、ＣＰＵ１４０は、その受信した自機宛の情報は、コンテンツの提供要求か否かを判断する（ステップＳ７０２）。
【０１９０】
ステップＳ７０２の判断処理において、コンテンツの提供要求を受信したと判断したときには、ＣＰＵ１４０は、自機のハードディスク１１８のディレクトリなどを参照するなどして、提供を要求したコンテンツを保持しており、自機がコンテンツを提供可能な状態にあるか否かを判断する（ステップＳ７０３）。
【０１９１】
ステップＳ７０３の判断処理において、提供可能であると判断したときには、ＣＰＵ１４０は、提供可能応答を形成して、これをＬＡＮあるいは広域ネットワーク等を通じて要求元のハードディスクレコーダに対して送信する（ステップＳ７０４）。そして、ＣＰＵ１４０は、提供が要求されたコンテンツをハードディスク１１８から読み出して、これをＬＡＮあるいは広域ネットワークを通じて要求元のハードディスクレコーダに対して送信を開始する（ステップＳ７０５）。
【０１９２】
この後、ＣＰＵ１４０は、要求されたコンテンツの全データを送信し終えたか否かを判断し（ステップＳ７０６）、送信し終えていないと判断したときには、ステップＳ７０６からの処理を繰り返すことにより待ち状態となる。また、ステップＳ７０６の判断処理において、要求されたコンテンツの全データを送信し終えたと判断したときには、この図１３に示す処理を終了する。
【０１９３】
また、ステップＳ７０３の判断処理において、要求されたコンテンツの提供が不能である場合、例えば、要求されたコンテンツがハードディスク１１８に存在しない場合や他の処理中であるためにコンテンツの提供ができない場合などにおいては、ＣＰＵ１４０は、提供不能応答を形成し、これをＬＡＮあるいは広域ネットワーク５を通じて要求元のハードディスクレコーダに対して送信し（ステップＳ７０７）、この図１３に示す処理を終了する。
【０１９４】
また、ステップＳ７０２の判断処理において、受信した自機宛の情報は、コンテンツ提供要求ではないと判断したときには、その受信した情報に応じた他の処理を実行することになる（ステップＳ７０８）。
【０１９５】
このように、図１１、図１２、図１３のフローチャートを用いて説明した例の場合には、代行されて録画されたテレビ放送番組のデータは、録画予約先のハードディスクレコーダのハードディスクに記憶保持される。そして、録画要求元のハードディスクレコーダは、録画要求先のハードディスクレコーダから録画されたテレビ放送番組のデータの提供を受けてこれを利用することができる。
【０１９６】
換言すれば、録画要求元のハードディスクレコーダは、録画要求先のハードディスクレコーダのハードディスクを自己のハードディスクと同様に利用することができるようにされる。したがって、利用率の低いハードディスクレコーダのハードディスクを有効に活用することができるなどの効果もある。
【０１９７】
なお、図１１、図１２、図１３のフローチャートを用いて説明した例の場合には、ストリーミング再生を行うものとして説明したが、これに限るものではない。例えば、録画要求元のハードディスクレコーダからの要求に応じて、録画予約先のハードディスクレコーダから代行して録画したテレビ放送番組のデータを当該録画予約元のハードディスクレコーダに転送し、転送を受けた録画予約元のハードディスクレコーダはこれを受信して自機のハードディスクに記憶保持し、録画予約先のハードディスクレコーダは転送終了後に転送したテレビ放送番組のデータを削除するようにしてもよい。録画終了直後に録画したテレビ放送番組のデータを録画予約元に自動的に転送する場合と異なり、ユーザーの都合に応じた適宜のタイミングでいわゆるムーブ機能を実現するようにするものである。
【０１９８】
［その他］
なお、ＬＡＮに接続されたハードディスクレコーダへの録画予約が可能であるか否かの問い合わせは、ＬＡＮに接続された記録装置の全部に対して一斉に、自機に受信選局不能な放送番組の受信選局が可能であるか否かを問い合わせを行い、可能である旨の応答を返信してきた他の記録装置の中から、録画予約先の記録装置として録画予約情報を含む録画予約要求を送信する記録装置を選択するようにすることもできる。また、受信選局可能な記録装置が録画予約情報を受け付けて、受け付けた旨の応答を返信するようにすることもできる。
【０１９９】
また、上述の実施の形態においては、ＢＳ／ＣＳチューナを備えないなど、機能不足の場合には、ホームネットワーク内の他のハードディスクレコーダに録画予約を転送し、地方局放送の放送番組の録画予約の場合には、広域ネットワーク上の当該目的とする放送番組の受信選局の可能な記録装置に録画予約を転送するようにしたが、これに限るものではない。
【０２００】
例えば、ＢＳ／ＣＳチューナを備えないなど、機能不足の場合であっても、広域ネットワーク上の機能を備えた記録装置に録画予約を転送するようにしてもよいし、また、地方局放送の放送番組の録画予約の場合であっても、例えば高感度なチューナを備えるなどして地方局の放送信号の受信選局が可能なチューナを備えたホームネットワーク内の記録装置に転送するようにしてもよい。
【０２０１】
したがって、ホームネットワーク内、広域ネットワーク上というように区別することなく、ユーザーによって入力された録画予約情報に応じて録画予約が可能な記録装置をホームネットワーク内と広域ネットワーク上との両方を含む広い範囲で検索するようにし、録画予約が適正に可能な記録装置（入力された録画予約情報に基づいて正常に放送番組の録画が可能であることが確実な記録装置）に録画予約を転送するようにしてもよい。
【０２０２】
また、ハードディスクレコーダを使用するユーザー情報を当該ハードディスクレコーダに登録するようにし、ユーザー毎に優先順位を設定するようにして、録画予約を行う場合にその優先順位に従って、録画予約を受け付けるようにすることも可能である。
【０２０３】
また、上述した実施の形態においては、アナログ地上波テレビ放送のみの受信選局が可能なハードディスクレコーダとアナログ地上波テレビ放送、ＢＳ放送、ＣＳ放送の受信選局機能をそなえたハードディスクレコーダとを用いるようにしたが、これに限るものではない。ラジオ放送の受信が可能な記録装置、デジタル地上波テレビ放送の受信が可能な記録装置にも適用することもできるし、ケーブルテレビ放送網に接続された記録装置にもこの発明を適用することができる。これらの場合には、番組を受信選局する部分の構成が変わるだけで、その他の構成については大きく変わるところはない。
【０２０４】
また、録画予約可能なコンテンツは、地上波テレビ放送信号により提供されるコンテンツ、ＡＭラジオ放送やＦＭラジオ放送により提供されるコンテンツ、衛星放送により提供されるコンテンツ、ケーブルテレビ放送などの有線メディアを通じて提供されるコンテンツ、インターネットなどの広域ネットワークを通じて提供されるコンテンツなど、種々のコンテンツの録画予約などのコンテンツの記録の予約を扱う場合にこの発明を用いることが可能である。
【０２０５】
また、上述した実施の形態においては、ハードディスクレコーダを用いた場合を例にして、この発明の実施の形態について説明したが、これに限るものではない。例えば、ＤＶＤ（Digital Versatile Disc）などの光ディスクを記録媒体として用いた記録装置や記録再生装置、ＭＤ（Mini Disc（登録商標））などの光自機ディスクを記録媒体として用いた記録装置や記録再生装置、磁気テープなどの磁気記録媒体を用いる記録装置や記録再生装置などを用いる場合に、この発明を適用することができる。すなわち、ハードディスクレコーダとＤＶＤレコーダとＶＴＲとにより形成されるシステムなど、複数種類の記録装置や記録再生装置によって構成されるシステムにもこの発明を適用することが可能である。
【図面の簡単な説明】
【０２０６】
【図１】この発明によるシステムの一実施の形態のホームネットワークシステムを説明するための図である。
【図２】この発明による記録装置の一実施の形態のハードディスクレコーダの一例を説明するための図である。
【図３】この発明による記録装置の一実施の形態のハードディスクレコーダの他の例を説明するための図である。
【図４】図１に示したホームネットワークシステムで行われる放送番組の録画予約処理を説明するための図である。
【図５】録画予約受付処理を説明するためのフローチャートである。
【図６】ハードディスクレコーダに記憶保持される受信機能情報の一例と受信可能局情報の一例とを説明するための図である。
【図７】ハードディスクレコーダに記憶保持される広域ネットワーク上の協力ハードディスクレコーダリストの一例を説明するための図である。
【図８】自機宛ての情報の受付処理を説明するためのフローチャートである。
【図９】録画予約に基づく録画処理について説明するためのフローチャートである。
【図１０】録画予約元のハードディスクレコーダの処理を説明するためのフローチャートである。
【図１１】転送されてきた録画予約情報に応じて行う録画処理について説明するためのフローチャートである。
【図１２】録画要求元のハードディスクレコーダ１において行われる処理を説明するためのフローチャートである。
【図１３】テレビ放送番組を録画要求元のハードディスクレコーダに提供する処理を説明するためのフローチャートである。
【符号の説明】
【０２０７】
１…ハードディスクレコーダ、２…ＨＵＢ、３…サーバ、４…ルータ、５…広域ネットワーク、１０１…デジタル入力／出力端子、１０２…デジタルインターフェイス回路、ＡＮＴ１…アナログ地上波テレビ放送用受信アンテナ、１０３…アナログ地上波テレビ放送用チューナ、１０４…音声入力端子、１０５、１０６…映像入力端子、１０７…入力切換回路、１０８…Ａ／Ｄ変換機、１０９…プリ音声信号処理回路、１１０…ＭＰＥＧオーディオエンコーダ、１１１…ＹＣ分離回路、１１２…入力切換回路、１１３…ＮＴＳＣデコーダ、１１４…プリ映像信号処理回路、１１５…ＭＰＥＧビデオエンコーダ、１１６…多重／分離回路、１１７…バッファ制御回路、１１８…ハードディスク、１３０…通信インターフェイス、１３１…通信用接続端子、１４０…ＣＰＵ、１４１…ＲＯＭ、１４２…ＲＡＭ、１４３…ＥＥＰＲＯＭ，１４４…リモコン信号受光部、１４５…リモコン、１４６…タイマー、１５０…デジタルＢＳ／ＣＳチューナ
【図１】
2006054642.tif 000003
【図２】
2006054642.tif 000004
【図３】
2006054642.tif 000005
【図４】
2006054642.tif 000006
【図５】
2006054642.tif 000007
【図６】
2006054642.tif 000008
【図７】
2006054642.tif 000009
【図８】
2006054642.tif 000010
【図９】
2006054642.tif 000011
【図１０】
2006054642.tif 000012
【図１１】
2006054642.tif 000013
【図１２】
2006054642.tif 000014
【図１３】
2006054642.tif 000015